(57)【要約】【課題】装置全体を小型化し、漏光および操作ノブへの押圧力の解除時に発生する音を低減する。【解決手段】スイッチ素子2a,2bと操作ノブ5a,5bと光源1a,1bとを有するスイッチ操作装置100において、アウターパネル6の壁部611の表面611bより操作ノブ5a,5bのフランジ部56a,56bの端面56a4,56b4を外側に配置し、アウターパネル6の壁部612の表面612aより操作ノブ5a,5bのフランジ部57a,57bの端面57a1,57b1を外側に配置し、アウターパネル6の壁部614の表面614cより操作ノブ5aのフランジ部59aの端面59a1を外側に配置し、操作ノブ5bの壁部55bの表面55b1より操作ノブ5aのフランジ部58aの端面58a1をアウターパネル6の壁部613の側に配置し、操作ノブ5aの回転軸56a1からストッパー部56a2までの距離を回転軸56a1からフランジ部57aまでの距離より小さくした。【選択図】図３
2011187413.tif 000002
【特許請求の範囲】
【請求項１】
第１スイッチハウジング（２ａ１）と、第１スイッチハウジング（２ａ１）から突出する側に付勢された第１可動部（２ａ２）とを有する第１スイッチ素子（２ａ）と、
第２スイッチハウジング（２ｂ１）と、第２スイッチハウジング（２ｂ１）から突出する側に付勢された第２可動部（２ｂ２）とを有する第２スイッチ素子（２ｂ）とを基板（１）に搭載し、
第１スイッチ素子（２ａ）の第１可動部（２ａ２）を第１スイッチハウジング（２ａ１）に格納する側に押動するための回転式の第１操作ノブ（５ａ）と、
第２スイッチ素子（２ｂ）の第２可動部（２ｂ２）を第２スイッチハウジング（２ｂ１）に格納する側に押動するための回転式の第２操作ノブ（５ｂ）とを設け、
第１操作ノブ（５ａ）の回転軸（５６ａ１）と第２操作ノブ（５ｂ）の回転軸（５６ｂ１）とを概略同一直線上に配列し、
第１操作ノブ（５ａ）および第２操作ノブ（５ｂ）と基板（１）との間に少なくとも１個の光源（３ａ，３ｂ）を配置したスイッチ操作装置（１００）において、
概略矩形の操作部（５１ａ）を第１操作ノブ（５ａ）に設けると共に、概略矩形の操作部（５１ｂ）を第２操作ノブ（５ｂ）に設け、
第１操作ノブ（５ａ）の概略矩形の操作部（５１ａ）の少なくとも一部分に透光部を形成すると共に、第２操作ノブ（５ｂ）の概略矩形の操作部（５１ｂ）の少なくとも一部分に透光部を形成し、
アウターパネル（６）の概略矩形の開口（６１）内に第１操作ノブ（５ａ）および第２操作ノブ（５ｂ）を配置し、
第１操作ノブ（５ａ）の概略矩形の操作部（５１ａ）の外周部うち、回転軸（５６ａ１）の側の部分から基板（１）の側に延びている第１壁部（５２ａ）と、回転軸（５６ａ１）の反対側の部分から基板（１）の側に延びている第２壁部（５３ａ）と、第２操作ノブ（５ｂ）の側の部分から基板（１）の側に延びている第３壁部（５４ａ）と、第２操作ノブ（５ｂ）の反対側の部分から基板（１）の側に延びている第４壁部（５５ａ）とを形成し、
第２操作ノブ（５ｂ）の概略矩形の操作部（５１ｂ）の外周部うち、回転軸（５６ｂ１）の側の部分から基板（１）の側に延びている第１壁部（５２ｂ）と、回転軸（５６ｂ１）の反対側の部分から基板（１）の側に延びている第２壁部（５３ｂ）と、第１操作ノブ（５ａ）の反対側の部分から基板（１）の側に延びている第３壁部（５４ｂ）と、第１操作ノブ（５ａ）の側の部分から基板（１）の側に延びている第４壁部（５５ｂ）とを形成し、
第１操作ノブ（５ａ）の第１壁部（５２ａ）の外側表面から回転軸（５６ａ１）の側に基板（１）に概略平行に延びている第１フランジ部（５６ａ）と、第１操作ノブ（５ａ）の第２壁部（５３ａ）の外側表面から回転軸（５６ａ１）の反対側に基板（１）に概略平行に延びている第２フランジ部（５７ａ）と、第１操作ノブ（５ａ）の第３壁部（５４ａ）の外側表面から第２操作ノブ（５ｂ）の側に基板（１）に概略平行に延びている第３フランジ部（５８ａ）と、第１操作ノブ（５ａ）の第４壁部（５５ａ）の外側表面から第２操作ノブ（５ｂ）の反対側に基板（１）に概略平行に延びている第４フランジ部（５９ａ）とを形成し、
第２操作ノブ（５ｂ）の第１壁部（５２ｂ）の外側表面から回転軸（５６ｂ１）の側に基板（１）に概略平行に延びている第１フランジ部（５６ｂ）と、第２操作ノブ（５ｂ）の第２壁部（５３ｂ）の外側表面から回転軸（５６ｂ１）の反対側に基板（１）に概略平行に延びている第２フランジ部（５７ｂ）と、第２操作ノブ（５ｂ）の第３壁部（５４ｂ）の外側表面から第１操作ノブ（５ａ）の反対側に基板（１）に概略平行に延びている第３フランジ部（５８ｂ）とを形成し、
第１操作ノブ（５ａ）の第１壁部（５２ａ）および第２操作ノブ（５ｂ）の第１壁部（５２ｂ）に隣接するアウターパネル（６）の第１壁部（６１１）と、第１操作ノブ（５ａ）の第２壁部（５３ａ）および第２操作ノブ（５ｂ）の第２壁部（５３ｂ）に隣接するアウターパネル（６）の第２壁部（６１２）と、第２操作ノブ（５ｂ）を隔てて第１操作ノブ（５ａ）の反対側に位置するアウターパネル（６）の第３壁部（６１３）と、第１操作ノブ（５ａ）の第４壁部（５５ａ）に隣接するアウターパネル（６）の第４壁部（６１４）とによって、アウターパネル（６）の概略矩形の開口（６１）を画定し、
アウターパネル（６）の第１壁部（６１１）の内側表面（６１１ｂ）よりも、第１操作ノブ（５ａ）の第１フランジ部（５６ａ）の外側端面（５６ａ４）および第２操作ノブ（５ｂ）の第１フランジ部（５６ｂ）の外側端面（５６ｂ４）を外側に配置し、
アウターパネル（６）の第２壁部（６１２）の内側表面（６１２ａ）よりも、第１操作ノブ（５ａ）の第２フランジ部（５７ａ）の外側端面（５７ａ１）および第２操作ノブ（５ｂ）の第２フランジ部（５７ｂ）の外側端面（５７ｂ１）を外側に配置し、
アウターパネル（６）の第４壁部（６１４）の内側表面（６１４ｃ）よりも、第１操作ノブ（５ａ）の第４フランジ部（５９ａ）の外側端面（５９ａ１）を外側に配置し、
第２操作ノブ（５ｂ）の第４壁部（５５ｂ）の外側表面（５５ｂ１）よりも、第１操作ノブ（５ａ）の第３フランジ部（５８ａ）の外側端面（５８ａ１）をアウターパネル（６）の第３壁部（６１３）の側に配置し、
第１操作ノブ（５ａ）の回転軸（５６ａ１）を隔てて第１操作ノブ（５ａ）の第２フランジ部（５７ａ）の反対側に第１操作ノブ（５ａ）のストッパー部（５６ａ２）を配置すると共に、第１操作ノブ（５ａ）の回転軸（５６ａ１）から第１操作ノブ（５ａ）のストッパー部（５６ａ２）までの距離を、第１操作ノブ（５ａ）の回転軸（５６ａ１）から第１操作ノブ（５ａ）の第２フランジ部（５７ａ）までの距離よりも小さくし、
アウターパネル（６）と基板（１）との間に配置されたインナーケース（４）に第１ストッパー部（４４ａ）を形成し、
第１操作ノブ（５ａ）の操作部（５１ａ）が基板（１）の側に押圧されると、第１操作ノブ（５ａ）の操作部（５１ａ）が基板（１）に近づく向きに第１操作ノブ（５ａ）が回転軸（５６ａ１）を中心に回転せしめられ、第１操作ノブ（５ａ）によって第１スイッチ素子（２ａ）の第１可動部（２ａ２）が第１スイッチハウジング（２ａ１）に格納される側に押動され、
第１操作ノブ（５ａ）の操作部（５１ａ）に対する押圧力が解除されると、第１スイッチ素子（２ａ）の第１可動部（２ａ２）が第１スイッチハウジング（２ａ１）から突出する側に移動することにより、第１操作ノブ（５ａ）の操作部（５１ａ）が基板（１）から離れる向きに第１操作ノブ（５ａ）が回転軸（５６ａ１）を中心に回転せしめられ、第１操作ノブ（５ａ）のストッパー部（５６ａ２）がインナーケース（４）の第１ストッパー部（４４ａ）に最初に当接することにより、第１操作ノブ（５ａ）の操作部（５１ａ）が基板（１）から離れる向きの第１操作ノブ（５ａ）の回転が減速し、
第２操作ノブ（５ｂ）の回転軸（５６ｂ１）を隔てて第２操作ノブ（５ｂ）の第２フランジ部（５７ｂ）の反対側に第２操作ノブ（５ｂ）のストッパー部（５６ｂ２）を配置すると共に、第２操作ノブ（５ｂ）の回転軸（５６ｂ１）から第２操作ノブ（５ｂ）のストッパー部（５６ｂ２）までの距離を、第２操作ノブ（５ｂ）の回転軸（５６ｂ１）から第２操作ノブ（５ｂ）の第２フランジ部（５７ｂ）までの距離よりも小さくし、
アウターパネル（６）と基板（１）との間に配置されたインナーケース（４）に第２ストッパー部（４４ｂ）を形成し、
第２操作ノブ（５ｂ）の操作部（５１ｂ）が基板（１）の側に押圧されると、第２操作ノブ（５ｂ）の操作部（５１ｂ）が基板（１）に近づく向きに第２操作ノブ（５ｂ）が回転軸（５６ｂ１）を中心に回転せしめられ、第２操作ノブ（５ｂ）によって第２スイッチ素子（２ｂ）の第２可動部（２ｂ２）が第２スイッチハウジング（２ｂ１）に格納される側に押動され、
第２操作ノブ（５ｂ）の操作部（５１ｂ）に対する押圧力が解除されると、第２スイッチ素子（２ｂ）の第２可動部（２ｂ２）が第２スイッチハウジング（２ｂ１）から突出する側に移動することにより、第２操作ノブ（５ｂ）の操作部（５１ｂ）が基板（１）から離れる向きに第２操作ノブ（５ｂ）が回転軸（５６ｂ１）を中心に回転せしめられ、第２操作ノブ（５ｂ）のストッパー部（５６ｂ２）がインナーケース（４）の第２ストッパー部（４４ｂ）に最初に当接することにより、第２操作ノブ（５ｂ）の操作部（５１ｂ）が基板（１）から離れる向きの第２操作ノブ（５ｂ）の回転が減速することを特徴とするスイッチ操作装置（１００）。
【請求項２】
第１スイッチハウジング（２ａ１）と、第１スイッチハウジング（２ａ１）から突出する側に付勢された第１可動部（２ａ２）とを有する第１スイッチ素子（２ａ）と、
第２スイッチハウジング（２ｂ１）と、第２スイッチハウジング（２ｂ１）から突出する側に付勢された第２可動部（２ｂ２）とを有する第２スイッチ素子（２ｂ）とを基板（１）に搭載し、
第１スイッチ素子（２ａ）の第１可動部（２ａ２）を第１スイッチハウジング（２ａ１）に格納する側に押動するための回転式の第１操作ノブ（５ａ）と、
第２スイッチ素子（２ｂ）の第２可動部（２ｂ２）を第２スイッチハウジング（２ｂ１）に格納する側に押動するための回転式の第２操作ノブ（５ｂ）とを設け、
第１操作ノブ（５ａ）の回転軸（５６ａ１）と第２操作ノブ（５ｂ）の回転軸（５６ｂ１）とを概略同一直線上に配列し、
第１操作ノブ（５ａ）および第２操作ノブ（５ｂ）と基板（１）との間に少なくとも１個の光源（３ａ，３ｂ）を配置したスイッチ操作装置（１００）において、
概略矩形の操作部（５１ａ）を第１操作ノブ（５ａ）に設けると共に、概略矩形の操作部（５１ｂ）を第２操作ノブ（５ｂ）に設け、
第１操作ノブ（５ａ）の概略矩形の操作部（５１ａ）の少なくとも一部分に透光部を形成すると共に、第２操作ノブ（５ｂ）の概略矩形の操作部（５１ｂ）の少なくとも一部分に透光部を形成し、
アウターパネル（６）の概略矩形の開口（６１）内に第１操作ノブ（５ａ）および第２操作ノブ（５ｂ）を配置し、
第１操作ノブ（５ａ）の概略矩形の操作部（５１ａ）の外周部うち、回転軸（５６ａ１）の側の部分から基板（１）の側に延びている第１壁部（５２ａ）と、回転軸（５６ａ１）の反対側の部分から基板（１）の側に延びている第２壁部（５３ａ）と、第２操作ノブ（５ｂ）の側の部分から基板（１）の側に延びている第３壁部（５４ａ）と、第２操作ノブ（５ｂ）の反対側の部分から基板（１）の側に延びている第４壁部（５５ａ）とを形成し、
第２操作ノブ（５ｂ）の概略矩形の操作部（５１ｂ）の外周部うち、回転軸（５６ｂ１）の側の部分から基板（１）の側に延びている第１壁部（５２ｂ）と、回転軸（５６ｂ１）の反対側の部分から基板（１）の側に延びている第２壁部（５３ｂ）と、第１操作ノブ（５ａ）の反対側の部分から基板（１）の側に延びている第３壁部（５４ｂ）と、第１操作ノブ（５ａ）の側の部分から基板（１）の側に延びている第４壁部（５５ｂ）とを形成し、
第１操作ノブ（５ａ）の第１壁部（５２ａ）の外側表面から回転軸（５６ａ１）の側に基板（１）に概略平行に延びている第１フランジ部（５６ａ）と、第１操作ノブ（５ａ）の第２壁部（５３ａ）の外側表面から回転軸（５６ａ１）の反対側に基板（１）に概略平行に延びている第２フランジ部（５７ａ）と、第１操作ノブ（５ａ）の第３壁部（５４ａ）の外側表面から第２操作ノブ（５ｂ）の側に基板（１）に概略平行に延びている第３フランジ部（５８ａ）と、第１操作ノブ（５ａ）の第４壁部（５５ａ）の外側表面から第２操作ノブ（５ｂ）の反対側に基板（１）に概略平行に延びている第４フランジ部（５９ａ）とを形成し、
第２操作ノブ（５ｂ）の第１壁部（５２ｂ）の外側表面から回転軸（５６ｂ１）の側に基板（１）に概略平行に延びている第１フランジ部（５６ｂ）と、第２操作ノブ（５ｂ）の第２壁部（５３ｂ）の外側表面から回転軸（５６ｂ１）の反対側に基板（１）に概略平行に延びている第２フランジ部（５７ｂ）と、第２操作ノブ（５ｂ）の第３壁部（５４ｂ）の外側表面から第１操作ノブ（５ａ）の反対側に基板（１）に概略平行に延びている第３フランジ部（５８ｂ）とを形成し、
第１操作ノブ（５ａ）の第１壁部（５２ａ）および第２操作ノブ（５ｂ）の第１壁部（５２ｂ）に隣接するアウターパネル（６）の第１壁部（６１１）と、第１操作ノブ（５ａ）の第２壁部（５３ａ）および第２操作ノブ（５ｂ）の第２壁部（５３ｂ）に隣接するアウターパネル（６）の第２壁部（６１２）と、第２操作ノブ（５ｂ）を隔てて第１操作ノブ（５ａ）の反対側に位置するアウターパネル（６）の第３壁部（６１３）と、第１操作ノブ（５ａ）の第４壁部（５５ａ）に隣接するアウターパネル（６）の第４壁部（６１４）とによって、アウターパネル（６）の概略矩形の開口（６１）を画定し、
アウターパネル（６）の第１壁部（６１１）の内側表面（６１１ｂ）よりも、第１操作ノブ（５ａ）の第１フランジ部（５６ａ）の外側端面（５６ａ４）および第２操作ノブ（５ｂ）の第１フランジ部（５６ｂ）の外側端面（５６ｂ４）を外側に配置し、
アウターパネル（６）の第２壁部（６１２）の内側表面（６１２ａ）よりも、第１操作ノブ（５ａ）の第２フランジ部（５７ａ）の外側端面（５７ａ１）および第２操作ノブ（５ｂ）の第２フランジ部（５７ｂ）の外側端面（５７ｂ１）を外側に配置し、
アウターパネル（６）の第４壁部（６１４）の内側表面（６１４ｃ）よりも、第１操作ノブ（５ａ）の第４フランジ部（５９ａ）の外側端面（５９ａ１）を外側に配置し、
第２操作ノブ（５ｂ）の第４壁部（５５ｂ）の外側表面（５５ｂ１）よりも、第１操作ノブ（５ａ）の第３フランジ部（５８ａ）の外側端面（５８ａ１）をアウターパネル（６）の第３壁部（６１３）の側に配置し、
第１スイッチ素子（２ａ）の第１可動部（２ａ２）を第１スイッチハウジング（２ａ１）に格納する側に付勢するための弾性変形部（５６ａ２ｂ）と係止部（５６ａ２ａ）とを有するストッパー部（５６ａ２）を第１操作ノブ（５ａ）に形成し、
第１操作ノブ（５ａ）のストッパー部（５６ａ２）の係止部（５６ａ２ａ）を係止するための第１ストッパー部（４４ａ）を、アウターパネル（６）と基板（１）との間に配置されたインナーケース（４）に形成し、
第１操作ノブ（５ａ）の操作部（５１ａ）が基板（１）の側に押圧されると、第１操作ノブ（５ａ）の操作部（５１ａ）が基板（１）に近づく向きに第１操作ノブ（５ａ）が回転軸（５６ａ１）を中心に回転せしめられ、第１操作ノブ（５ａ）によって第１スイッチ素子（２ａ）の第１可動部（２ａ２）が第１スイッチハウジング（２ａ１）に格納される側に押動され、それにより、第１操作ノブ（５ａ）の弾性変形部（５６ａ２ｂ）によって第１可動部（２ａ２）を第１スイッチハウジング（２ａ１）に格納する側に付勢する力が減少すると共に、第１スイッチ素子（２ａ）によって第１可動部（２ａ２）を第１スイッチハウジング（２ａ１）から突出する側に付勢する力が増加し、
第１操作ノブ（５ａ）の操作部（５１ａ）に対する押圧力が解除されると、第１スイッチ素子（２ａ）の第１可動部（２ａ２）が第１スイッチハウジング（２ａ１）から突出する側に移動することによって、第１操作ノブ（５ａ）の操作部（５１ａ）が基板（１）から離れる向きに第１操作ノブ（５ａ）が回転軸（５６ａ１）を中心に回転せしめられ、それにより、第１操作ノブ（５ａ）の弾性変形部（５６ａ２ｂ）によって第１可動部（２ａ２）を第１スイッチハウジング（２ａ１）に格納する側に付勢する力が増加すると共に、第１スイッチ素子（２ａ）によって第１可動部（２ａ２）を第１スイッチハウジング（２ａ１）から突出する側に付勢する力が減少し、その結果、第１操作ノブ（５ａ）の操作部（５１ａ）が基板（１）から離れる向きの第１操作ノブ（５ａ）の回転が減速し、
第２スイッチ素子（２ｂ）の第２可動部（２ｂ２）を第２スイッチハウジング（２ｂ１）に格納する側に付勢するための弾性変形部（５６ｂ２ｂ）と係止部（５６ｂ２ａ）とを有するストッパー部（５６ｂ２）を第２操作ノブ（５ｂ）に形成し、
第２操作ノブ（５ｂ）のストッパー部（５６ｂ２）の係止部（５６ｂ２ａ）を係止するための第２ストッパー部（４４ｂ）を、アウターパネル（６）と基板（１）との間に配置されたインナーケース（４）に形成し、
第２操作ノブ（５ｂ）の操作部（５１ｂ）が基板（１）の側に押圧されると、第２操作ノブ（５ｂ）の操作部（５１ｂ）が基板（１）に近づく向きに第２操作ノブ（５ｂ）が回転軸（５６ｂ１）を中心に回転せしめられ、第２操作ノブ（５ｂ）によって第２スイッチ素子（２ｂ）の第２可動部（２ｂ２）が第２スイッチハウジング（２ｂ１）に格納される側に押動され、それにより、第２操作ノブ（５ｂ）の弾性変形部（５６ｂ２ｂ）によって第２可動部（２ｂ２）を第２スイッチハウジング（２ｂ１）に格納する側に付勢する力が減少すると共に、第２スイッチ素子（２ｂ）によって第２可動部（２ｂ２）を第２スイッチハウジング（２ｂ１）から突出する側に付勢する力が増加し、
第２操作ノブ（５ｂ）の操作部（５１ｂ）に対する押圧力が解除されると、第２スイッチ素子（２ｂ）の第２可動部（２ｂ２）が第２スイッチハウジング（２ｂ１）から突出する側に移動することによって、第２操作ノブ（５ｂ）の操作部（５１ｂ）が基板（１）から離れる向きに第２操作ノブ（５ｂ）が回転軸（５６ｂ１）を中心に回転せしめられ、それにより、第２操作ノブ（５ｂ）の弾性変形部（５６ｂ２ｂ）によって第２可動部（２ｂ２）を第２スイッチハウジング（２ｂ１）に格納する側に付勢する力が増加すると共に、第２スイッチ素子（２ｂ）によって第２可動部（２ｂ２）を第２スイッチハウジング（２ｂ１）から突出する側に付勢する力が減少し、その結果、第２操作ノブ（５ｂ）の操作部（５１ｂ）が基板（１）から離れる向きの第２操作ノブ（５ｂ）の回転が減速することを特徴とするスイッチ操作装置（１００）。
【請求項３】
第１操作ノブ（５ａ）の操作部（５１ａ）の側に延びているオーバーハング部（５８ａ２）を第１操作ノブ（５ａ）の第３フランジ部（５８ａ）に形成し、
第１操作ノブ（５ａ）の第３フランジ部（５８ａ）の外側表面（５８ａ１）を、第２操作ノブ（５ｂ）の第４壁部（５５ｂ）の内側表面（５５ｂ２）よりもアウターパネル（６）の第３壁部（６１３）の側に配置し、
第１操作ノブ（５ａ）の第３フランジ部（５８ａ）のオーバーハング部（５８ａ２）の先端面（５８ａ２ａ）を、第２操作ノブ（５ｂ）の第４壁部（５５ｂ）の基板側表面（５５ｂ３）よりも第２操作ノブ（５ｂ）の操作部（５１ｂ）の側に配置したことを特徴とする請求項１又は２に記載のスイッチ操作装置（１００）。
【発明の詳細な説明】
【技術分野】
【０００１】
本発明は、第１スイッチ素子と第２スイッチ素子とを基板に搭載し、第１スイッチ素子を押動するための回転式の第１操作ノブと、第２スイッチ素子を押動するための回転式の第２操作ノブとを設け、第１操作ノブの回転軸と第２操作ノブの回転軸とを概略同一直線上に配列し、第１操作ノブおよび第２操作ノブと基板との間に光源を配置したスイッチ操作装置に関する。
【０００２】
特に、本発明は、スイッチ操作装置全体を小型化しつつ、光源からの光の一部が第１操作ノブ、第２操作ノブおよびアウターパネルの相互間の隙間を介して漏れ出てしまうおそれを低減することができ、更に、第１操作ノブの操作部および第２操作ノブの操作部に対する押圧力の解除時に発生する音を低減することができるスイッチ操作装置に関する。
【背景技術】
【０００３】
従来から、第１スイッチ素子と第２スイッチ素子とを基板に搭載し、第１スイッチ素子を押動するための回転式の第１操作ノブと、第２スイッチ素子を押動するための回転式の第２操作ノブとを設け、第１操作ノブの回転軸と第２操作ノブの回転軸とを概略同一直線上に配列し、第１操作ノブおよび第２操作ノブと基板との間に光源を配置したスイッチ操作装置が知られている。この種のスイッチ操作装置の例としては、例えば特許文献１（特開２００５−７１７９６号公報）の図８および図９に記載されたものがある。
【０００４】
特許文献１の図８および図９に記載されたスイッチ操作装置では、アウターパネルの開口内に操作ノブが配置されている。更に、第１操作ノブの概略矩形の操作部（押ボタン部）の周囲の四方にフランジ部が形成されている。また、第１操作ノブに隣接して第２操作ノブが配置されている。
【先行技術文献】
【特許文献】
【０００５】
【特許文献１】特開２００５−７１７９６号公報
【発明の概要】
【発明が解決しようとする課題】
【０００６】
ところで、特許文献１の図８および図９に記載されたスイッチ操作装置では、第１操作ノブの概略矩形の操作部（押ボタン部）の周囲の四方にフランジ部が形成されているのみならず、第１操作ノブに隣接して配置されている第２操作ノブの周囲の四方にフランジ部が形成されている。そのため、特許文献１の図８および図９に記載されたスイッチ操作装置では、第１操作ノブの操作部（押ボタン部）と第２操作ノブの操作部（押ボタン部）とを近接させて配置することができず、その結果、スイッチ操作装置全体が大型化してしまう。
【０００７】
一方、仮に、第１操作ノブの操作部（押ボタン部）と第２操作ノブの操作部（押ボタン部）とを近接させて配置するために、第１操作ノブの操作部（押ボタン部）と第２操作ノブの操作部（押ボタン部）との間の第１操作ノブのフランジ部を省略するか、あるいは、第１操作ノブの操作部（押ボタン部）と第２操作ノブの操作部（押ボタン部）との間の第２操作ノブのフランジ部を省略すると、光源からの光の一部が第１操作ノブ、第２操作ノブおよびアウターパネルの相互間の隙間を介して漏れ出るおそれが生じてしまう。
【０００８】
更に、特許文献１の図８および図９に記載されたスイッチ操作装置では、操作ノブの操作部（押ボタン部）に対する押圧力が解除されると、操作ノブの操作部（押ボタン部）が基板から離れる向きに操作ノブが回転軸（ヒンジ軸部）を中心に回転せしめられ、操作ノブのフランジ部がアウターパネルに最初に当接することにより、操作ノブの操作部（押ボタン部）が基板から離れる向きの操作ノブの回転が停止する。
【０００９】
そのため、特許文献１の図８および図９に記載されたスイッチ操作装置では、操作ノブの操作部（押ボタン部）に対する押圧力の解除時に、操作ノブのフランジ部とアウターパネルとが衝突する音が発生してしまう。特に、操作ノブの概略矩形の操作部（押ボタン部）の周囲の四方に形成されているフランジ部のうち、操作部（押ボタン部）を隔てて回転軸（ヒンジ軸部）の反対側に位置する部分がアウターパネルに最初に当接せしめられる場合には、回転軸（ヒンジ軸部）の側に位置する部分がアウターパネルに最初に当接せしめられる場合よりも大きい衝突音が発生してしまう。
【００１０】
前記問題点に鑑み、本発明は、スイッチ操作装置全体を小型化しつつ、光源からの光の一部が第１操作ノブ、第２操作ノブおよびアウターパネルの相互間の隙間を介して漏れ出てしまうおそれを低減することができ、更に、第１操作ノブの操作部および第２操作ノブの操作部に対する押圧力の解除時に発生する音を低減することができるスイッチ操作装置を提供することを目的とする。
【課題を解決するための手段】
【００１１】
請求項１に記載の発明によれば、第１スイッチハウジング（２ａ１）と、第１スイッチハウジング（２ａ１）から突出する側に付勢された第１可動部（２ａ２）とを有する第１スイッチ素子（２ａ）と、
第２スイッチハウジング（２ｂ１）と、第２スイッチハウジング（２ｂ１）から突出する側に付勢された第２可動部（２ｂ２）とを有する第２スイッチ素子（２ｂ）とを基板（１）に搭載し、
第１スイッチ素子（２ａ）の第１可動部（２ａ２）を第１スイッチハウジング（２ａ１）に格納する側に押動するための回転式の第１操作ノブ（５ａ）と、
第２スイッチ素子（２ｂ）の第２可動部（２ｂ２）を第２スイッチハウジング（２ｂ１）に格納する側に押動するための回転式の第２操作ノブ（５ｂ）とを設け、
第１操作ノブ（５ａ）の回転軸（５６ａ１）と第２操作ノブ（５ｂ）の回転軸（５６ｂ１）とを概略同一直線上に配列し、
第１操作ノブ（５ａ）および第２操作ノブ（５ｂ）と基板（１）との間に少なくとも１個の光源（３ａ，３ｂ）を配置したスイッチ操作装置（１００）において、
概略矩形の操作部（５１ａ）を第１操作ノブ（５ａ）に設けると共に、概略矩形の操作部（５１ｂ）を第２操作ノブ（５ｂ）に設け、
第１操作ノブ（５ａ）の概略矩形の操作部（５１ａ）の少なくとも一部分に透光部を形成すると共に、第２操作ノブ（５ｂ）の概略矩形の操作部（５１ｂ）の少なくとも一部分に透光部を形成し、
アウターパネル（６）の概略矩形の開口（６１）内に第１操作ノブ（５ａ）および第２操作ノブ（５ｂ）を配置し、
第１操作ノブ（５ａ）の概略矩形の操作部（５１ａ）の外周部うち、回転軸（５６ａ１）の側の部分から基板（１）の側に延びている第１壁部（５２ａ）と、回転軸（５６ａ１）の反対側の部分から基板（１）の側に延びている第２壁部（５３ａ）と、第２操作ノブ（５ｂ）の側の部分から基板（１）の側に延びている第３壁部（５４ａ）と、第２操作ノブ（５ｂ）の反対側の部分から基板（１）の側に延びている第４壁部（５５ａ）とを形成し、
第２操作ノブ（５ｂ）の概略矩形の操作部（５１ｂ）の外周部うち、回転軸（５６ｂ１）の側の部分から基板（１）の側に延びている第１壁部（５２ｂ）と、回転軸（５６ｂ１）の反対側の部分から基板（１）の側に延びている第２壁部（５３ｂ）と、第１操作ノブ（５ａ）の反対側の部分から基板（１）の側に延びている第３壁部（５４ｂ）と、第１操作ノブ（５ａ）の側の部分から基板（１）の側に延びている第４壁部（５５ｂ）とを形成し、
第１操作ノブ（５ａ）の第１壁部（５２ａ）の外側表面から回転軸（５６ａ１）の側に基板（１）に概略平行に延びている第１フランジ部（５６ａ）と、第１操作ノブ（５ａ）の第２壁部（５３ａ）の外側表面から回転軸（５６ａ１）の反対側に基板（１）に概略平行に延びている第２フランジ部（５７ａ）と、第１操作ノブ（５ａ）の第３壁部（５４ａ）の外側表面から第２操作ノブ（５ｂ）の側に基板（１）に概略平行に延びている第３フランジ部（５８ａ）と、第１操作ノブ（５ａ）の第４壁部（５５ａ）の外側表面から第２操作ノブ（５ｂ）の反対側に基板（１）に概略平行に延びている第４フランジ部（５９ａ）とを形成し、
第２操作ノブ（５ｂ）の第１壁部（５２ｂ）の外側表面から回転軸（５６ｂ１）の側に基板（１）に概略平行に延びている第１フランジ部（５６ｂ）と、第２操作ノブ（５ｂ）の第２壁部（５３ｂ）の外側表面から回転軸（５６ｂ１）の反対側に基板（１）に概略平行に延びている第２フランジ部（５７ｂ）と、第２操作ノブ（５ｂ）の第３壁部（５４ｂ）の外側表面から第１操作ノブ（５ａ）の反対側に基板（１）に概略平行に延びている第３フランジ部（５８ｂ）とを形成し、
第１操作ノブ（５ａ）の第１壁部（５２ａ）および第２操作ノブ（５ｂ）の第１壁部（５２ｂ）に隣接するアウターパネル（６）の第１壁部（６１１）と、第１操作ノブ（５ａ）の第２壁部（５３ａ）および第２操作ノブ（５ｂ）の第２壁部（５３ｂ）に隣接するアウターパネル（６）の第２壁部（６１２）と、第２操作ノブ（５ｂ）を隔てて第１操作ノブ（５ａ）の反対側に位置するアウターパネル（６）の第３壁部（６１３）と、第１操作ノブ（５ａ）の第４壁部（５５ａ）に隣接するアウターパネル（６）の第４壁部（６１４）とによって、アウターパネル（６）の概略矩形の開口（６１）を画定し、
アウターパネル（６）の第１壁部（６１１）の内側表面（６１１ｂ）よりも、第１操作ノブ（５ａ）の第１フランジ部（５６ａ）の外側端面（５６ａ４）および第２操作ノブ（５ｂ）の第１フランジ部（５６ｂ）の外側端面（５６ｂ４）を外側に配置し、
アウターパネル（６）の第２壁部（６１２）の内側表面（６１２ａ）よりも、第１操作ノブ（５ａ）の第２フランジ部（５７ａ）の外側端面（５７ａ１）および第２操作ノブ（５ｂ）の第２フランジ部（５７ｂ）の外側端面（５７ｂ１）を外側に配置し、
アウターパネル（６）の第４壁部（６１４）の内側表面（６１４ｃ）よりも、第１操作ノブ（５ａ）の第４フランジ部（５９ａ）の外側端面（５９ａ１）を外側に配置し、
第２操作ノブ（５ｂ）の第４壁部（５５ｂ）の外側表面（５５ｂ１）よりも、第１操作ノブ（５ａ）の第３フランジ部（５８ａ）の外側端面（５８ａ１）をアウターパネル（６）の第３壁部（６１３）の側に配置し、
第１操作ノブ（５ａ）の回転軸（５６ａ１）を隔てて第１操作ノブ（５ａ）の第２フランジ部（５７ａ）の反対側に第１操作ノブ（５ａ）のストッパー部（５６ａ２）を配置すると共に、第１操作ノブ（５ａ）の回転軸（５６ａ１）から第１操作ノブ（５ａ）のストッパー部（５６ａ２）までの距離を、第１操作ノブ（５ａ）の回転軸（５６ａ１）から第１操作ノブ（５ａ）の第２フランジ部（５７ａ）までの距離よりも小さくし、
アウターパネル（６）と基板（１）との間に配置されたインナーケース（４）に第１ストッパー部（４４ａ）を形成し、
第１操作ノブ（５ａ）の操作部（５１ａ）が基板（１）の側に押圧されると、第１操作ノブ（５ａ）の操作部（５１ａ）が基板（１）に近づく向きに第１操作ノブ（５ａ）が回転軸（５６ａ１）を中心に回転せしめられ、第１操作ノブ（５ａ）によって第１スイッチ素子（２ａ）の第１可動部（２ａ２）が第１スイッチハウジング（２ａ１）に格納される側に押動され、
第１操作ノブ（５ａ）の操作部（５１ａ）に対する押圧力が解除されると、第１スイッチ素子（２ａ）の第１可動部（２ａ２）が第１スイッチハウジング（２ａ１）から突出する側に移動することにより、第１操作ノブ（５ａ）の操作部（５１ａ）が基板（１）から離れる向きに第１操作ノブ（５ａ）が回転軸（５６ａ１）を中心に回転せしめられ、第１操作ノブ（５ａ）のストッパー部（５６ａ２）がインナーケース（４）の第１ストッパー部（４４ａ）に最初に当接することにより、第１操作ノブ（５ａ）の操作部（５１ａ）が基板（１）から離れる向きの第１操作ノブ（５ａ）の回転が減速し、
第２操作ノブ（５ｂ）の回転軸（５６ｂ１）を隔てて第２操作ノブ（５ｂ）の第２フランジ部（５７ｂ）の反対側に第２操作ノブ（５ｂ）のストッパー部（５６ｂ２）を配置すると共に、第２操作ノブ（５ｂ）の回転軸（５６ｂ１）から第２操作ノブ（５ｂ）のストッパー部（５６ｂ２）までの距離を、第２操作ノブ（５ｂ）の回転軸（５６ｂ１）から第２操作ノブ（５ｂ）の第２フランジ部（５７ｂ）までの距離よりも小さくし、
アウターパネル（６）と基板（１）との間に配置されたインナーケース（４）に第２ストッパー部（４４ｂ）を形成し、
第２操作ノブ（５ｂ）の操作部（５１ｂ）が基板（１）の側に押圧されると、第２操作ノブ（５ｂ）の操作部（５１ｂ）が基板（１）に近づく向きに第２操作ノブ（５ｂ）が回転軸（５６ｂ１）を中心に回転せしめられ、第２操作ノブ（５ｂ）によって第２スイッチ素子（２ｂ）の第２可動部（２ｂ２）が第２スイッチハウジング（２ｂ１）に格納される側に押動され、
第２操作ノブ（５ｂ）の操作部（５１ｂ）に対する押圧力が解除されると、第２スイッチ素子（２ｂ）の第２可動部（２ｂ２）が第２スイッチハウジング（２ｂ１）から突出する側に移動することにより、第２操作ノブ（５ｂ）の操作部（５１ｂ）が基板（１）から離れる向きに第２操作ノブ（５ｂ）が回転軸（５６ｂ１）を中心に回転せしめられ、第２操作ノブ（５ｂ）のストッパー部（５６ｂ２）がインナーケース（４）の第２ストッパー部（４４ｂ）に最初に当接することにより、第２操作ノブ（５ｂ）の操作部（５１ｂ）が基板（１）から離れる向きの第２操作ノブ（５ｂ）の回転が減速することを特徴とするスイッチ操作装置（１００）が提供される。
【００１２】
請求項２に記載の発明によれば、第１スイッチハウジング（２ａ１）と、第１スイッチハウジング（２ａ１）から突出する側に付勢された第１可動部（２ａ２）とを有する第１スイッチ素子（２ａ）と、
第２スイッチハウジング（２ｂ１）と、第２スイッチハウジング（２ｂ１）から突出する側に付勢された第２可動部（２ｂ２）とを有する第２スイッチ素子（２ｂ）とを基板（１）に搭載し、
第１スイッチ素子（２ａ）の第１可動部（２ａ２）を第１スイッチハウジング（２ａ１）に格納する側に押動するための回転式の第１操作ノブ（５ａ）と、
第２スイッチ素子（２ｂ）の第２可動部（２ｂ２）を第２スイッチハウジング（２ｂ１）に格納する側に押動するための回転式の第２操作ノブ（５ｂ）とを設け、
第１操作ノブ（５ａ）の回転軸（５６ａ１）と第２操作ノブ（５ｂ）の回転軸（５６ｂ１）とを概略同一直線上に配列し、
第１操作ノブ（５ａ）および第２操作ノブ（５ｂ）と基板（１）との間に少なくとも１個の光源（３ａ，３ｂ）を配置したスイッチ操作装置（１００）において、
概略矩形の操作部（５１ａ）を第１操作ノブ（５ａ）に設けると共に、概略矩形の操作部（５１ｂ）を第２操作ノブ（５ｂ）に設け、
第１操作ノブ（５ａ）の概略矩形の操作部（５１ａ）の少なくとも一部分に透光部を形成すると共に、第２操作ノブ（５ｂ）の概略矩形の操作部（５１ｂ）の少なくとも一部分に透光部を形成し、
アウターパネル（６）の概略矩形の開口（６１）内に第１操作ノブ（５ａ）および第２操作ノブ（５ｂ）を配置し、
第１操作ノブ（５ａ）の概略矩形の操作部（５１ａ）の外周部うち、回転軸（５６ａ１）の側の部分から基板（１）の側に延びている第１壁部（５２ａ）と、回転軸（５６ａ１）の反対側の部分から基板（１）の側に延びている第２壁部（５３ａ）と、第２操作ノブ（５ｂ）の側の部分から基板（１）の側に延びている第３壁部（５４ａ）と、第２操作ノブ（５ｂ）の反対側の部分から基板（１）の側に延びている第４壁部（５５ａ）とを形成し、
第２操作ノブ（５ｂ）の概略矩形の操作部（５１ｂ）の外周部うち、回転軸（５６ｂ１）の側の部分から基板（１）の側に延びている第１壁部（５２ｂ）と、回転軸（５６ｂ１）の反対側の部分から基板（１）の側に延びている第２壁部（５３ｂ）と、第１操作ノブ（５ａ）の反対側の部分から基板（１）の側に延びている第３壁部（５４ｂ）と、第１操作ノブ（５ａ）の側の部分から基板（１）の側に延びている第４壁部（５５ｂ）とを形成し、
第１操作ノブ（５ａ）の第１壁部（５２ａ）の外側表面から回転軸（５６ａ１）の側に基板（１）に概略平行に延びている第１フランジ部（５６ａ）と、第１操作ノブ（５ａ）の第２壁部（５３ａ）の外側表面から回転軸（５６ａ１）の反対側に基板（１）に概略平行に延びている第２フランジ部（５７ａ）と、第１操作ノブ（５ａ）の第３壁部（５４ａ）の外側表面から第２操作ノブ（５ｂ）の側に基板（１）に概略平行に延びている第３フランジ部（５８ａ）と、第１操作ノブ（５ａ）の第４壁部（５５ａ）の外側表面から第２操作ノブ（５ｂ）の反対側に基板（１）に概略平行に延びている第４フランジ部（５９ａ）とを形成し、
第２操作ノブ（５ｂ）の第１壁部（５２ｂ）の外側表面から回転軸（５６ｂ１）の側に基板（１）に概略平行に延びている第１フランジ部（５６ｂ）と、第２操作ノブ（５ｂ）の第２壁部（５３ｂ）の外側表面から回転軸（５６ｂ１）の反対側に基板（１）に概略平行に延びている第２フランジ部（５７ｂ）と、第２操作ノブ（５ｂ）の第３壁部（５４ｂ）の外側表面から第１操作ノブ（５ａ）の反対側に基板（１）に概略平行に延びている第３フランジ部（５８ｂ）とを形成し、
第１操作ノブ（５ａ）の第１壁部（５２ａ）および第２操作ノブ（５ｂ）の第１壁部（５２ｂ）に隣接するアウターパネル（６）の第１壁部（６１１）と、第１操作ノブ（５ａ）の第２壁部（５３ａ）および第２操作ノブ（５ｂ）の第２壁部（５３ｂ）に隣接するアウターパネル（６）の第２壁部（６１２）と、第２操作ノブ（５ｂ）を隔てて第１操作ノブ（５ａ）の反対側に位置するアウターパネル（６）の第３壁部（６１３）と、第１操作ノブ（５ａ）の第４壁部（５５ａ）に隣接するアウターパネル（６）の第４壁部（６１４）とによって、アウターパネル（６）の概略矩形の開口（６１）を画定し、
アウターパネル（６）の第１壁部（６１１）の内側表面（６１１ｂ）よりも、第１操作ノブ（５ａ）の第１フランジ部（５６ａ）の外側端面（５６ａ４）および第２操作ノブ（５ｂ）の第１フランジ部（５６ｂ）の外側端面（５６ｂ４）を外側に配置し、
アウターパネル（６）の第２壁部（６１２）の内側表面（６１２ａ）よりも、第１操作ノブ（５ａ）の第２フランジ部（５７ａ）の外側端面（５７ａ１）および第２操作ノブ（５ｂ）の第２フランジ部（５７ｂ）の外側端面（５７ｂ１）を外側に配置し、
アウターパネル（６）の第４壁部（６１４）の内側表面（６１４ｃ）よりも、第１操作ノブ（５ａ）の第４フランジ部（５９ａ）の外側端面（５９ａ１）を外側に配置し、
第２操作ノブ（５ｂ）の第４壁部（５５ｂ）の外側表面（５５ｂ１）よりも、第１操作ノブ（５ａ）の第３フランジ部（５８ａ）の外側端面（５８ａ１）をアウターパネル（６）の第３壁部（６１３）の側に配置し、
第１スイッチ素子（２ａ）の第１可動部（２ａ２）を第１スイッチハウジング（２ａ１）に格納する側に付勢するための弾性変形部（５６ａ２ｂ）と係止部（５６ａ２ａ）とを有するストッパー部（５６ａ２）を第１操作ノブ（５ａ）に形成し、
第１操作ノブ（５ａ）のストッパー部（５６ａ２）の係止部（５６ａ２ａ）を係止するための第１ストッパー部（４４ａ）を、アウターパネル（６）と基板（１）との間に配置されたインナーケース（４）に形成し、
第１操作ノブ（５ａ）の操作部（５１ａ）が基板（１）の側に押圧されると、第１操作ノブ（５ａ）の操作部（５１ａ）が基板（１）に近づく向きに第１操作ノブ（５ａ）が回転軸（５６ａ１）を中心に回転せしめられ、第１操作ノブ（５ａ）によって第１スイッチ素子（２ａ）の第１可動部（２ａ２）が第１スイッチハウジング（２ａ１）に格納される側に押動され、それにより、第１操作ノブ（５ａ）の弾性変形部（５６ａ２ｂ）によって第１可動部（２ａ２）を第１スイッチハウジング（２ａ１）に格納する側に付勢する力が減少すると共に、第１スイッチ素子（２ａ）によって第１可動部（２ａ２）を第１スイッチハウジング（２ａ１）から突出する側に付勢する力が増加し、
第１操作ノブ（５ａ）の操作部（５１ａ）に対する押圧力が解除されると、第１スイッチ素子（２ａ）の第１可動部（２ａ２）が第１スイッチハウジング（２ａ１）から突出する側に移動することによって、第１操作ノブ（５ａ）の操作部（５１ａ）が基板（１）から離れる向きに第１操作ノブ（５ａ）が回転軸（５６ａ１）を中心に回転せしめられ、それにより、第１操作ノブ（５ａ）の弾性変形部（５６ａ２ｂ）によって第１可動部（２ａ２）を第１スイッチハウジング（２ａ１）に格納する側に付勢する力が増加すると共に、第１スイッチ素子（２ａ）によって第１可動部（２ａ２）を第１スイッチハウジング（２ａ１）から突出する側に付勢する力が減少し、その結果、第１操作ノブ（５ａ）の操作部（５１ａ）が基板（１）から離れる向きの第１操作ノブ（５ａ）の回転が減速し、
第２スイッチ素子（２ｂ）の第２可動部（２ｂ２）を第２スイッチハウジング（２ｂ１）に格納する側に付勢するための弾性変形部（５６ｂ２ｂ）と係止部（５６ｂ２ａ）とを有するストッパー部（５６ｂ２）を第２操作ノブ（５ｂ）に形成し、
第２操作ノブ（５ｂ）のストッパー部（５６ｂ２）の係止部（５６ｂ２ａ）を係止するための第２ストッパー部（４４ｂ）を、アウターパネル（６）と基板（１）との間に配置されたインナーケース（４）に形成し、
第２操作ノブ（５ｂ）の操作部（５１ｂ）が基板（１）の側に押圧されると、第２操作ノブ（５ｂ）の操作部（５１ｂ）が基板（１）に近づく向きに第２操作ノブ（５ｂ）が回転軸（５６ｂ１）を中心に回転せしめられ、第２操作ノブ（５ｂ）によって第２スイッチ素子（２ｂ）の第２可動部（２ｂ２）が第２スイッチハウジング（２ｂ１）に格納される側に押動され、それにより、第２操作ノブ（５ｂ）の弾性変形部（５６ｂ２ｂ）によって第２可動部（２ｂ２）を第２スイッチハウジング（２ｂ１）に格納する側に付勢する力が減少すると共に、第２スイッチ素子（２ｂ）によって第２可動部（２ｂ２）を第２スイッチハウジング（２ｂ１）から突出する側に付勢する力が増加し、
第２操作ノブ（５ｂ）の操作部（５１ｂ）に対する押圧力が解除されると、第２スイッチ素子（２ｂ）の第２可動部（２ｂ２）が第２スイッチハウジング（２ｂ１）から突出する側に移動することによって、第２操作ノブ（５ｂ）の操作部（５１ｂ）が基板（１）から離れる向きに第２操作ノブ（５ｂ）が回転軸（５６ｂ１）を中心に回転せしめられ、それにより、第２操作ノブ（５ｂ）の弾性変形部（５６ｂ２ｂ）によって第２可動部（２ｂ２）を第２スイッチハウジング（２ｂ１）に格納する側に付勢する力が増加すると共に、第２スイッチ素子（２ｂ）によって第２可動部（２ｂ２）を第２スイッチハウジング（２ｂ１）から突出する側に付勢する力が減少し、その結果、第２操作ノブ（５ｂ）の操作部（５１ｂ）が基板（１）から離れる向きの第２操作ノブ（５ｂ）の回転が減速することを特徴とするスイッチ操作装置（１００）が提供される。
【００１３】
請求項３に記載の発明によれば、第１操作ノブ（５ａ）の操作部（５１ａ）の側に延びているオーバーハング部（５８ａ２）を第１操作ノブ（５ａ）の第３フランジ部（５８ａ）に形成し、
第１操作ノブ（５ａ）の第３フランジ部（５８ａ）の外側表面（５８ａ１）を、第２操作ノブ（５ｂ）の第４壁部（５５ｂ）の内側表面（５５ｂ２）よりもアウターパネル（６）の第３壁部（６１３）の側に配置し、
第１操作ノブ（５ａ）の第３フランジ部（５８ａ）のオーバーハング部（５８ａ２）の先端面（５８ａ２ａ）を、第２操作ノブ（５ｂ）の第４壁部（５５ｂ）の基板側表面（５５ｂ３）よりも第２操作ノブ（５ｂ）の操作部（５１ｂ）の側に配置したことを特徴とする請求項１又は２に記載のスイッチ操作装置（１００）が提供される。
【発明の効果】
【００１４】
請求項１に記載のスイッチ操作装置（１００）では、第１スイッチハウジング（２ａ１）と、第１スイッチハウジング（２ａ１）から突出する側に付勢された第１可動部（２ａ２）とを有する第１スイッチ素子（２ａ）が基板（１）に搭載されている。また、第２スイッチハウジング（２ｂ１）と、第２スイッチハウジング（２ｂ１）から突出する側に付勢された第２可動部（２ｂ２）とを有する第２スイッチ素子（２ｂ）が基板（１）に搭載されている。
【００１５】
更に、請求項１に記載のスイッチ操作装置（１００）では、第１スイッチ素子（２ａ）の第１可動部（２ａ２）を第１スイッチハウジング（２ａ１）に格納する側に押動するための回転式の第１操作ノブ（５ａ）と、第２スイッチ素子（２ｂ）の第２可動部（２ｂ２）を第２スイッチハウジング（２ｂ１）に格納する側に押動するための回転式の第２操作ノブ（５ｂ）とが設けられている。また、第１操作ノブ（５ａ）の回転軸（５６ａ１）と第２操作ノブ（５ｂ）の回転軸（５６ｂ１）とが概略同一直線上に配列されている。更に、第１操作ノブ（５ａ）および第２操作ノブ（５ｂ）と基板（１）との間に少なくとも１個の光源（３ａ，３ｂ）が配置されている。
【００１６】
詳細には、請求項１に記載のスイッチ操作装置（１００）では、概略矩形の操作部（５１ａ）が第１操作ノブ（５ａ）に設けられ、概略矩形の操作部（５１ｂ）が第２操作ノブ（５ｂ）に設けられている。また、第１操作ノブ（５ａ）の概略矩形の操作部（５１ａ）の少なくとも一部分に透光部が形成され、第２操作ノブ（５ｂ）の概略矩形の操作部（５１ｂ）の少なくとも一部分に透光部が形成されている。
【００１７】
そのため、請求項１に記載のスイッチ操作装置（１００）では、光源（３ａ，３ｂ）からの光の一部が第１操作ノブ（５ａ）の概略矩形の操作部（５１ａ）の透光部を透過せしめられる。更に、光源（３ａ，３ｂ）からの光の一部が第２操作ノブ（５ｂ）の概略矩形の操作部（５１ｂ）の透光部を透過せしめられる。
【００１８】
また、請求項１に記載のスイッチ操作装置（１００）では、アウターパネル（６）の概略矩形の開口（６１）内に第１操作ノブ（５ａ）および第２操作ノブ（５ｂ）が配置されている。更に、第１操作ノブ（５ａ）の概略矩形の操作部（５１ａ）の外周部うち、回転軸（５６ａ１）の側の部分から基板（１）の側に延びている第１壁部（５２ａ）と、回転軸（５６ａ１）の反対側の部分から基板（１）の側に延びている第２壁部（５３ａ）と、第２操作ノブ（５ｂ）の側の部分から基板（１）の側に延びている第３壁部（５４ａ）と、第２操作ノブ（５ｂ）の反対側の部分から基板（１）の側に延びている第４壁部（５５ａ）とが形成されている。また、第２操作ノブ（５ｂ）の概略矩形の操作部（５１ｂ）の外周部うち、回転軸（５６ｂ１）の側の部分から基板（１）の側に延びている第１壁部（５２ｂ）と、回転軸（５６ｂ１）の反対側の部分から基板（１）の側に延びている第２壁部（５３ｂ）と、第１操作ノブ（５ａ）の反対側の部分から基板（１）の側に延びている第３壁部（５４ｂ）と、第１操作ノブ（５ａ）の側の部分から基板（１）の側に延びている第４壁部（５５ｂ）とが形成されている。
【００１９】
更に、請求項１に記載のスイッチ操作装置（１００）では、第１操作ノブ（５ａ）の第１壁部（５２ａ）の外側表面から回転軸（５６ａ１）の側に基板（１）に概略平行に延びている第１フランジ部（５６ａ）と、第１操作ノブ（５ａ）の第２壁部（５３ａ）の外側表面から回転軸（５６ａ１）の反対側に基板（１）に概略平行に延びている第２フランジ部（５７ａ）と、第１操作ノブ（５ａ）の第３壁部（５４ａ）の外側表面から第２操作ノブ（５ｂ）の側に基板（１）に概略平行に延びている第３フランジ部（５８ａ）と、第１操作ノブ（５ａ）の第４壁部（５５ａ）の外側表面から第２操作ノブ（５ｂ）の反対側に基板（１）に概略平行に延びている第４フランジ部（５９ａ）とが形成されている。
【００２０】
また、請求項１に記載のスイッチ操作装置（１００）では、第２操作ノブ（５ｂ）の第１壁部（５２ｂ）の外側表面から回転軸（５６ｂ１）の側に基板（１）に概略平行に延びている第１フランジ部（５６ｂ）と、第２操作ノブ（５ｂ）の第２壁部（５３ｂ）の外側表面から回転軸（５６ｂ１）の反対側に基板（１）に概略平行に延びている第２フランジ部（５７ｂ）と、第２操作ノブ（５ｂ）の第３壁部（５４ｂ）の外側表面から第１操作ノブ（５ａ）の反対側に基板（１）に概略平行に延びている第３フランジ部（５８ｂ）とが形成されている。
【００２１】
つまり、請求項１に記載のスイッチ操作装置（１００）では、第２操作ノブ（５ｂ）の第４壁部（５５ｂ）の外側表面から第１操作ノブ（５ａ）の側に基板（１）に概略平行に延びているフランジ部が形成されていない。
【００２２】
そのため、請求項１に記載のスイッチ操作装置（１００）によれば、第２操作ノブ（５ｂ）の第４壁部（５５ｂ）の外側表面から第１操作ノブ（５ａ）の側に基板（１）に概略平行に延びているフランジ部が形成されている場合よりも、第１操作ノブ（５ａ）の操作部（５１ａ）と第２操作ノブ（５ｂ）の操作部（５１ｂ）とを近接させて配置することができ、スイッチ操作装置（１００）全体を小型化することができる。
【００２３】
更に、請求項１に記載のスイッチ操作装置（１００）では、第１操作ノブ（５ａ）の第１壁部（５２ａ）および第２操作ノブ（５ｂ）の第１壁部（５２ｂ）に隣接するアウターパネル（６）の第１壁部（６１１）と、第１操作ノブ（５ａ）の第２壁部（５３ａ）および第２操作ノブ（５ｂ）の第２壁部（５３ｂ）に隣接するアウターパネル（６）の第２壁部（６１２）と、第２操作ノブ（５ｂ）を隔てて第１操作ノブ（５ａ）の反対側に位置するアウターパネル（６）の第３壁部（６１３）と、第１操作ノブ（５ａ）の第４壁部（５５ａ）に隣接するアウターパネル（６）の第４壁部（６１４）とによって、アウターパネル（６）の概略矩形の開口（６１）が画定されている。
【００２４】
また、請求項１に記載のスイッチ操作装置（１００）では、アウターパネル（６）の第１壁部（６１１）の内側表面（６１１ｂ）よりも、第１操作ノブ（５ａ）の第１フランジ部（５６ａ）の外側端面（５６ａ４）および第２操作ノブ（５ｂ）の第１フランジ部（５６ｂ）の外側端面（５６ｂ４）が外側に配置されている。
【００２５】
つまり、請求項１に記載のスイッチ操作装置（１００）では、第１操作ノブ（５ａ）の第１フランジ部（５６ａ）とアウターパネル（６）の第１壁部（６１１）とがオーバーラップすると共に、第２操作ノブ（５ｂ）の第１フランジ部（５６ｂ）とアウターパネル（６）の第１壁部（６１１）とがオーバーラップしている。
【００２６】
そのため、請求項１に記載のスイッチ操作装置（１００）によれば、第１操作ノブ（５ａ）の第１フランジ部（５６ａ）の外側端面（５６ａ４）および第２操作ノブ（５ｂ）の第１フランジ部（５６ｂ）の外側端面（５６ｂ４）がアウターパネル（６）の第１壁部（６１１）の内側表面（６１１ｂ）より内側に配置されている場合よりも、光源（３ａ，３ｂ）からの光の一部が第１操作ノブ（５ａ）の第１フランジ部（５６ａ）の外側端面（５６ａ４）とアウターパネル（６）の第１壁部（６１１）の内側表面（６１１ｂ）との隙間および第２操作ノブ（５ｂ）の第１フランジ部（５６ｂ）の外側端面（５６ｂ４）とアウターパネル（６）の第１壁部（６１１）の内側表面（６１１ｂ）との隙間を介して漏れ出てしまうおそれを低減することができる。
【００２７】
更に、請求項１に記載のスイッチ操作装置（１００）では、アウターパネル（６）の第２壁部（６１２）の内側表面（６１２ａ）よりも、第１操作ノブ（５ａ）の第２フランジ部（５７ａ）の外側端面（５７ａ１）および第２操作ノブ（５ｂ）の第２フランジ部（５７ｂ）の外側端面（５７ｂ１）が外側に配置されている。
【００２８】
つまり、請求項１に記載のスイッチ操作装置（１００）では、第１操作ノブ（５ａ）の第２フランジ部（５７ａ）とアウターパネル（６）の第２壁部（６１２）とがオーバーラップすると共に、第２操作ノブ（５ｂ）の第２フランジ部（５７ｂ）とアウターパネル（６）の第２壁部（６１２）とがオーバーラップしている。
【００２９】
そのため、請求項１に記載のスイッチ操作装置（１００）によれば、第１操作ノブ（５ａ）の第２フランジ部（５７ａ）の外側端面（５７ａ１）および第２操作ノブ（５ｂ）の第２フランジ部（５７ｂ）の外側端面（５７ｂ１）がアウターパネル（６）の第２壁部（６１２）の内側表面（６１２ａ）より内側に配置されている場合よりも、光源（３ａ，３ｂ）からの光の一部が第１操作ノブ（５ａ）の第２フランジ部（５７ａ）の外側端面（５７ａ１）とアウターパネル（６）の第２壁部（６１２）の内側表面（６１２ａ）との隙間および第２操作ノブ（５ｂ）の第２フランジ部（５７ｂ）の外側端面（５７ｂ１）とアウターパネル（６）の第２壁部（６１２）の内側表面（６１２ａ）との隙間を介して漏れ出てしまうおそれを低減することができる。
【００３０】
また、請求項１に記載のスイッチ操作装置（１００）では、アウターパネル（６）の第４壁部（６１４）の内側表面（６１４ｃ）よりも、第１操作ノブ（５ａ）の第４フランジ部（５９ａ）の外側端面（５９ａ１）が外側に配置されている。
【００３１】
つまり、請求項１に記載のスイッチ操作装置（１００）では、第１操作ノブ（５ａ）の第４フランジ部（５９ａ）とアウターパネル（６）の第４壁部（６１４）とがオーバーラップしている。
【００３２】
そのため、請求項１に記載のスイッチ操作装置（１００）によれば、第１操作ノブ（５ａ）の第４フランジ部（５９ａ）の外側端面（５９ａ１）がアウターパネル（６）の第４壁部（６１４）の内側表面（６１４ｃ）より内側に配置されている場合よりも、光源（３ａ，３ｂ）からの光の一部が第１操作ノブ（５ａ）の第４フランジ部（５９ａ）の外側端面（５９ａ１）とアウターパネル（６）の第４壁部（６１４）の内側表面（６１４ｃ）との隙間を介して漏れ出てしまうおそれを低減することができる。
【００３３】
更に、請求項１に記載のスイッチ操作装置（１００）では、第２操作ノブ（５ｂ）の第４壁部（５５ｂ）の外側表面（５５ｂ１）よりも、第１操作ノブ（５ａ）の第３フランジ部（５８ａ）の外側端面（５８ａ１）がアウターパネル（６）の第３壁部（６１３）の側に配置されている。
【００３４】
つまり、請求項１に記載のスイッチ操作装置（１００）では、第１操作ノブ（５ａ）の第３フランジ部（５８ａ）と第２操作ノブ（５ｂ）の第４壁部（５５ｂ）とがオーバーラップしている。
【００３５】
そのため、請求項１に記載のスイッチ操作装置（１００）によれば、第１操作ノブ（５ａ）の第３フランジ部（５８ａ）の外側端面（５８ａ１）が第２操作ノブ（５ｂ）の第４壁部（５５ｂ）の外側表面（５５ｂ１）よりアウターパネル（６）の第４壁部（６１４）の側に配置されている場合よりも、光源（３ａ，３ｂ）からの光の一部が第１操作ノブ（５ａ）の第３フランジ部（５８ａ）の外側端面（５８ａ１）と第２操作ノブ（５ｂ）の第４壁部（５５ｂ）の外側表面（５５ｂ１）との隙間を介して漏れ出てしまうおそれを低減することができる。
【００３６】
また、請求項１に記載のスイッチ操作装置（１００）では、第１操作ノブ（５ａ）の回転軸（５６ａ１）を隔てて第１操作ノブ（５ａ）の第２フランジ部（５７ａ）の反対側に第１操作ノブ（５ａ）のストッパー部（５６ａ２）が配置されている。更に、第１操作ノブ（５ａ）の回転軸（５６ａ１）から第１操作ノブ（５ａ）のストッパー部（５６ａ２）までの距離が、第１操作ノブ（５ａ）の回転軸（５６ａ１）から第１操作ノブ（５ａ）の第２フランジ部（５７ａ）までの距離よりも小さくされている。また、アウターパネル（６）と基板（１）との間に配置されたインナーケース（４）に第１ストッパー部（４４ａ）が形成されている。
【００３７】
詳細には、請求項１に記載のスイッチ操作装置（１００）では、第１操作ノブ（５ａ）の操作部（５１ａ）が基板（１）の側に押圧されると、第１操作ノブ（５ａ）の操作部（５１ａ）が基板（１）に近づく向きに第１操作ノブ（５ａ）が回転軸（５６ａ１）を中心に回転せしめられ、第１操作ノブ（５ａ）によって第１スイッチ素子（２ａ）の第１可動部（２ａ２）が第１スイッチハウジング（２ａ１）に格納される側に押動される。次いで、第１操作ノブ（５ａ）の操作部（５１ａ）に対する押圧力が解除されると、第１スイッチ素子（２ａ）の第１可動部（２ａ２）が第１スイッチハウジング（２ａ１）から突出する側に移動することにより、第１操作ノブ（５ａ）の操作部（５１ａ）が基板（１）から離れる向きに第１操作ノブ（５ａ）が回転軸（５６ａ１）を中心に回転せしめられ、第１操作ノブ（５ａ）のストッパー部（５６ａ２）がインナーケース（４）の第１ストッパー部（４４ａ）に最初に当接することにより、第１操作ノブ（５ａ）の操作部（５１ａ）が基板（１）から離れる向きの第１操作ノブ（５ａ）の回転が減速する。
【００３８】
つまり、請求項１に記載のスイッチ操作装置（１００）では、第１操作ノブ（５ａ）の操作部（５１ａ）に対する押圧力の解除に伴う第１操作ノブ（５ａ）の回転を減速させるために、第１操作ノブ（５ａ）の第２フランジ部（５７ａ）がアウターパネル（６）に最初に当接せしめられるのではなく、第１操作ノブ（５ａ）の第２フランジ部（５７ａ）よりも第１操作ノブ（５ａ）の回転軸（５６ａ１）の近くに配置された第１操作ノブ（５ａ）のストッパー部（５６ａ２）がインナーケース（４）の第１ストッパー部（４４ａ）に最初に当接せしめられる。
【００３９】
すなわち、請求項１に記載のスイッチ操作装置（１００）では、第１操作ノブ（５ａ）の第２フランジ部（５７ａ）よりも線速度が低い第１操作ノブ（５ａ）のストッパー部（５６ａ２）がインナーケース（４）の第１ストッパー部（４４ａ）に最初に当接せしめられる。
【００４０】
そのため、請求項１に記載のスイッチ操作装置（１００）によれば、第１操作ノブ（５ａ）の第２フランジ部（５７ａ）がアウターパネル（６）に最初に当接せしめられる場合よりも、第１操作ノブ（５ａ）の操作部（５１ａ）に対する押圧力の解除に伴う第１操作ノブ（５ａ）の回転停止時に発生する音を低減することができる。
【００４１】
更に、請求項１に記載のスイッチ操作装置（１００）では、第１操作ノブ（５ａ）の操作部（５１ａ）に対する押圧力の解除に伴う第１操作ノブ（５ａ）の回転を減速させるために、アウターパネル（６）よりも基板（１）の側に配置されたインナーケース（４）に第１操作ノブ（５ａ）が最初に当接せしめられる。
【００４２】
そのため、請求項１に記載のスイッチ操作装置（１００）によれば、第１操作ノブ（５ａ）がアウターパネル（６）に最初に当接せしめられる場合よりも、第１操作ノブ（５ａ）の操作部（５１ａ）に対する押圧力の解除に伴う第１操作ノブ（５ａ）の回転停止時に発生する音が操作者に伝わってしまうおそれを低減することができる。
【００４３】
また、請求項１に記載のスイッチ操作装置（１００）では、第２操作ノブ（５ｂ）の回転軸（５６ｂ１）を隔てて第２操作ノブ（５ｂ）の第２フランジ部（５７ｂ）の反対側に第２操作ノブ（５ｂ）のストッパー部（５６ｂ２）が配置されている。更に、第２操作ノブ（５ｂ）の回転軸（５６ｂ１）から第２操作ノブ（５ｂ）のストッパー部（５６ｂ２）までの距離が、第２操作ノブ（５ｂ）の回転軸（５６ｂ１）から第２操作ノブ（５ｂ）の第２フランジ部（５７ｂ）までの距離よりも小さくされている。また、アウターパネル（６）と基板（１）との間に配置されたインナーケース（４）に第２ストッパー部（４４ｂ）が形成されている。
【００４４】
詳細には、請求項１に記載のスイッチ操作装置（１００）では、第２操作ノブ（５ｂ）の操作部（５１ｂ）が基板（１）の側に押圧されると、第２操作ノブ（５ｂ）の操作部（５１ｂ）が基板（１）に近づく向きに第２操作ノブ（５ｂ）が回転軸（５６ｂ１）を中心に回転せしめられ、第２操作ノブ（５ｂ）によって第２スイッチ素子（２ｂ）の第２可動部（２ｂ２）が第２スイッチハウジング（２ｂ１）に格納される側に押動される。次いで、第２操作ノブ（５ｂ）の操作部（５１ｂ）に対する押圧力が解除されると、第２スイッチ素子（２ｂ）の第２可動部（２ｂ２）が第２スイッチハウジング（２ｂ１）から突出する側に移動することにより、第２操作ノブ（５ｂ）の操作部（５１ｂ）が基板（１）から離れる向きに第２操作ノブ（５ｂ）が回転軸（５６ｂ１）を中心に回転せしめられ、第２操作ノブ（５ｂ）のストッパー部（５６ｂ２）がインナーケース（４）の第２ストッパー部（４４ｂ）に最初に当接することにより、第２操作ノブ（５ｂ）の操作部（５１ｂ）が基板（１）から離れる向きの第２操作ノブ（５ｂ）の回転が減速する。
【００４５】
つまり、請求項１に記載のスイッチ操作装置（１００）では、第２操作ノブ（５ｂ）の操作部（５１ｂ）に対する押圧力の解除に伴う第２操作ノブ（５ｂ）の回転を減速させるために、第２操作ノブ（５ｂ）の第２フランジ部（５７ｂ）がアウターパネル（６）に最初に当接せしめられるのではなく、第２操作ノブ（５ｂ）の第２フランジ部（５７ｂ）よりも第２操作ノブ（５ｂ）の回転軸（５６ｂ１）の近くに配置された第２操作ノブ（５ｂ）のストッパー部（５６ｂ２）がインナーケース（４）の第２ストッパー部（４４ｂ）に最初に当接せしめられる。
【００４６】
すなわち、請求項１に記載のスイッチ操作装置（１００）では、第２操作ノブ（５ｂ）の第２フランジ部（５７ｂ）よりも線速度が低い第２操作ノブ（５ｂ）のストッパー部（５６ｂ２）がインナーケース（４）の第２ストッパー部（４４ｂ）に最初に当接せしめられる。
【００４７】
そのため、請求項１に記載のスイッチ操作装置（１００）によれば、第２操作ノブ（５ｂ）の第２フランジ部（５７ｂ）がアウターパネル（６）に最初に当接せしめられる場合よりも、第２操作ノブ（５ｂ）の操作部（５１ｂ）に対する押圧力の解除に伴う第２操作ノブ（５ｂ）の回転停止時に発生する音を低減することができる。
【００４８】
更に、請求項１に記載のスイッチ操作装置（１００）では、第２操作ノブ（５ｂ）の操作部（５１ｂ）に対する押圧力の解除に伴う第２操作ノブ（５ｂ）の回転を減速させるために、アウターパネル（６）よりも基板（１）の側に配置されたインナーケース（４）に第２操作ノブ（５ｂ）が最初に当接せしめられる。
【００４９】
そのため、請求項１に記載のスイッチ操作装置（１００）によれば、第２操作ノブ（５ｂ）がアウターパネル（６）に最初に当接せしめられる場合よりも、第２操作ノブ（５ｂ）の操作部（５１ｂ）に対する押圧力の解除に伴う第２操作ノブ（５ｂ）の回転停止時に発生する音が操作者に伝わってしまうおそれを低減することができる。
【００５０】
換言すれば、請求項１に記載のスイッチ操作装置（１００）によれば、スイッチ操作装置（１００）全体を小型化しつつ、光源（３ａ，３ｂ）からの光の一部が第１操作ノブ（５ａ）、第２操作ノブ（５ｂ）およびアウターパネル（６）の相互間の隙間を介して漏れ出てしまうおそれを低減することができ、更に、第１操作ノブ（５ａ）の操作部（５１ａ）および第２操作ノブ（５ｂ）の操作部（５１ｂ）に対する押圧力の解除時に発生する音を低減すると共に、その音が操作者に伝わってしまうおそれを低減することができる。
【００５１】
請求項２に記載のスイッチ操作装置（１００）では、第１スイッチハウジング（２ａ１）と、第１スイッチハウジング（２ａ１）から突出する側に付勢された第１可動部（２ａ２）とを有する第１スイッチ素子（２ａ）が基板（１）に搭載されている。また、第２スイッチハウジング（２ｂ１）と、第２スイッチハウジング（２ｂ１）から突出する側に付勢された第２可動部（２ｂ２）とを有する第２スイッチ素子（２ｂ）が基板（１）に搭載されている。
【００５２】
更に、請求項２に記載のスイッチ操作装置（１００）では、第１スイッチ素子（２ａ）の第１可動部（２ａ２）を第１スイッチハウジング（２ａ１）に格納する側に押動するための回転式の第１操作ノブ（５ａ）と、第２スイッチ素子（２ｂ）の第２可動部（２ｂ２）を第２スイッチハウジング（２ｂ１）に格納する側に押動するための回転式の第２操作ノブ（５ｂ）とが設けられている。また、第１操作ノブ（５ａ）の回転軸（５６ａ１）と第２操作ノブ（５ｂ）の回転軸（５６ｂ１）とが概略同一直線上に配列されている。更に、第１操作ノブ（５ａ）および第２操作ノブ（５ｂ）と基板（１）との間に少なくとも１個の光源（３ａ，３ｂ）が配置されている。
【００５３】
詳細には、請求項２に記載のスイッチ操作装置（１００）では、概略矩形の操作部（５１ａ）が第１操作ノブ（５ａ）に設けられ、概略矩形の操作部（５１ｂ）が第２操作ノブ（５ｂ）に設けられている。また、第１操作ノブ（５ａ）の概略矩形の操作部（５１ａ）の少なくとも一部分に透光部が形成され、第２操作ノブ（５ｂ）の概略矩形の操作部（５１ｂ）の少なくとも一部分に透光部が形成されている。
【００５４】
そのため、請求項２に記載のスイッチ操作装置（１００）では、光源（３ａ，３ｂ）からの光の一部が第１操作ノブ（５ａ）の概略矩形の操作部（５１ａ）の透光部を透過せしめられる。更に、光源（３ａ，３ｂ）からの光の一部が第２操作ノブ（５ｂ）の概略矩形の操作部（５１ｂ）の透光部を透過せしめられる。
【００５５】
また、請求項２に記載のスイッチ操作装置（１００）では、アウターパネル（６）の概略矩形の開口（６１）内に第１操作ノブ（５ａ）および第２操作ノブ（５ｂ）が配置されている。更に、第１操作ノブ（５ａ）の概略矩形の操作部（５１ａ）の外周部うち、回転軸（５６ａ１）の側の部分から基板（１）の側に延びている第１壁部（５２ａ）と、回転軸（５６ａ１）の反対側の部分から基板（１）の側に延びている第２壁部（５３ａ）と、第２操作ノブ（５ｂ）の側の部分から基板（１）の側に延びている第３壁部（５４ａ）と、第２操作ノブ（５ｂ）の反対側の部分から基板（１）の側に延びている第４壁部（５５ａ）とが形成されている。また、第２操作ノブ（５ｂ）の概略矩形の操作部（５１ｂ）の外周部うち、回転軸（５６ｂ１）の側の部分から基板（１）の側に延びている第１壁部（５２ｂ）と、回転軸（５６ｂ１）の反対側の部分から基板（１）の側に延びている第２壁部（５３ｂ）と、第１操作ノブ（５ａ）の反対側の部分から基板（１）の側に延びている第３壁部（５４ｂ）と、第１操作ノブ（５ａ）の側の部分から基板（１）の側に延びている第４壁部（５５ｂ）とが形成されている。
【００５６】
更に、請求項２に記載のスイッチ操作装置（１００）では、第１操作ノブ（５ａ）の第１壁部（５２ａ）の外側表面から回転軸（５６ａ１）の側に基板（１）に概略平行に延びている第１フランジ部（５６ａ）と、第１操作ノブ（５ａ）の第２壁部（５３ａ）の外側表面から回転軸（５６ａ１）の反対側に基板（１）に概略平行に延びている第２フランジ部（５７ａ）と、第１操作ノブ（５ａ）の第３壁部（５４ａ）の外側表面から第２操作ノブ（５ｂ）の側に基板（１）に概略平行に延びている第３フランジ部（５８ａ）と、第１操作ノブ（５ａ）の第４壁部（５５ａ）の外側表面から第２操作ノブ（５ｂ）の反対側に基板（１）に概略平行に延びている第４フランジ部（５９ａ）とが形成されている。
【００５７】
また、請求項２に記載のスイッチ操作装置（１００）では、第２操作ノブ（５ｂ）の第１壁部（５２ｂ）の外側表面から回転軸（５６ｂ１）の側に基板（１）に概略平行に延びている第１フランジ部（５６ｂ）と、第２操作ノブ（５ｂ）の第２壁部（５３ｂ）の外側表面から回転軸（５６ｂ１）の反対側に基板（１）に概略平行に延びている第２フランジ部（５７ｂ）と、第２操作ノブ（５ｂ）の第３壁部（５４ｂ）の外側表面から第１操作ノブ（５ａ）の反対側に基板（１）に概略平行に延びている第３フランジ部（５８ｂ）とが形成されている。
【００５８】
つまり、請求項２に記載のスイッチ操作装置（１００）では、第２操作ノブ（５ｂ）の第４壁部（５５ｂ）の外側表面から第１操作ノブ（５ａ）の側に基板（１）に概略平行に延びているフランジ部が形成されていない。
【００５９】
そのため、請求項２に記載のスイッチ操作装置（１００）によれば、第２操作ノブ（５ｂ）の第４壁部（５５ｂ）の外側表面から第１操作ノブ（５ａ）の側に基板（１）に概略平行に延びているフランジ部が形成されている場合よりも、第１操作ノブ（５ａ）の操作部（５１ａ）と第２操作ノブ（５ｂ）の操作部（５１ｂ）とを近接させて配置することができ、スイッチ操作装置（１００）全体を小型化することができる。
【００６０】
更に、請求項２に記載のスイッチ操作装置（１００）では、第１操作ノブ（５ａ）の第１壁部（５２ａ）および第２操作ノブ（５ｂ）の第１壁部（５２ｂ）に隣接するアウターパネル（６）の第１壁部（６１１）と、第１操作ノブ（５ａ）の第２壁部（５３ａ）および第２操作ノブ（５ｂ）の第２壁部（５３ｂ）に隣接するアウターパネル（６）の第２壁部（６１２）と、第２操作ノブ（５ｂ）を隔てて第１操作ノブ（５ａ）の反対側に位置するアウターパネル（６）の第３壁部（６１３）と、第１操作ノブ（５ａ）の第４壁部（５５ａ）に隣接するアウターパネル（６）の第４壁部（６１４）とによって、アウターパネル（６）の概略矩形の開口（６１）が画定されている。
【００６１】
また、請求項２に記載のスイッチ操作装置（１００）では、アウターパネル（６）の第１壁部（６１１）の内側表面（６１１ｂ）よりも、第１操作ノブ（５ａ）の第１フランジ部（５６ａ）の外側端面（５６ａ４）および第２操作ノブ（５ｂ）の第１フランジ部（５６ｂ）の外側端面（５６ｂ４）が外側に配置されている。
【００６２】
つまり、請求項２に記載のスイッチ操作装置（１００）では、第１操作ノブ（５ａ）の第１フランジ部（５６ａ）とアウターパネル（６）の第１壁部（６１１）とがオーバーラップすると共に、第２操作ノブ（５ｂ）の第１フランジ部（５６ｂ）とアウターパネル（６）の第１壁部（６１１）とがオーバーラップしている。
【００６３】
そのため、請求項２に記載のスイッチ操作装置（１００）によれば、第１操作ノブ（５ａ）の第１フランジ部（５６ａ）の外側端面（５６ａ４）および第２操作ノブ（５ｂ）の第１フランジ部（５６ｂ）の外側端面（５６ｂ４）がアウターパネル（６）の第１壁部（６１１）の内側表面（６１１ｂ）より内側に配置されている場合よりも、光源（３ａ，３ｂ）からの光の一部が第１操作ノブ（５ａ）の第１フランジ部（５６ａ）の外側端面（５６ａ４）とアウターパネル（６）の第１壁部（６１１）の内側表面（６１１ｂ）との隙間および第２操作ノブ（５ｂ）の第１フランジ部（５６ｂ）の外側端面（５６ｂ４）とアウターパネル（６）の第１壁部（６１１）の内側表面（６１１ｂ）との隙間を介して漏れ出てしまうおそれを低減することができる。
【００６４】
更に、請求項２に記載のスイッチ操作装置（１００）では、アウターパネル（６）の第２壁部（６１２）の内側表面（６１２ａ）よりも、第１操作ノブ（５ａ）の第２フランジ部（５７ａ）の外側端面（５７ａ１）および第２操作ノブ（５ｂ）の第２フランジ部（５７ｂ）の外側端面（５７ｂ１）が外側に配置されている。
【００６５】
つまり、請求項２に記載のスイッチ操作装置（１００）では、第１操作ノブ（５ａ）の第２フランジ部（５７ａ）とアウターパネル（６）の第２壁部（６１２）とがオーバーラップすると共に、第２操作ノブ（５ｂ）の第２フランジ部（５７ｂ）とアウターパネル（６）の第２壁部（６１２）とがオーバーラップしている。
【００６６】
そのため、請求項２に記載のスイッチ操作装置（１００）によれば、第１操作ノブ（５ａ）の第２フランジ部（５７ａ）の外側端面（５７ａ１）および第２操作ノブ（５ｂ）の第２フランジ部（５７ｂ）の外側端面（５７ｂ１）がアウターパネル（６）の第２壁部（６１２）の内側表面（６１２ａ）より内側に配置されている場合よりも、光源（３ａ，３ｂ）からの光の一部が第１操作ノブ（５ａ）の第２フランジ部（５７ａ）の外側端面（５７ａ１）とアウターパネル（６）の第２壁部（６１２）の内側表面（６１２ａ）との隙間および第２操作ノブ（５ｂ）の第２フランジ部（５７ｂ）の外側端面（５７ｂ１）とアウターパネル（６）の第２壁部（６１２）の内側表面（６１２ａ）との隙間を介して漏れ出てしまうおそれを低減することができる。
【００６７】
また、請求項２に記載のスイッチ操作装置（１００）では、アウターパネル（６）の第４壁部（６１４）の内側表面（６１４ｃ）よりも、第１操作ノブ（５ａ）の第４フランジ部（５９ａ）の外側端面（５９ａ１）が外側に配置されている。
【００６８】
つまり、請求項２に記載のスイッチ操作装置（１００）では、第１操作ノブ（５ａ）の第４フランジ部（５９ａ）とアウターパネル（６）の第４壁部（６１４）とがオーバーラップしている。
【００６９】
そのため、請求項２に記載のスイッチ操作装置（１００）によれば、第１操作ノブ（５ａ）の第４フランジ部（５９ａ）の外側端面（５９ａ１）がアウターパネル（６）の第４壁部（６１４）の内側表面（６１４ｃ）より内側に配置されている場合よりも、光源（３ａ，３ｂ）からの光の一部が第１操作ノブ（５ａ）の第４フランジ部（５９ａ）の外側端面（５９ａ１）とアウターパネル（６）の第４壁部（６１４）の内側表面（６１４ｃ）との隙間を介して漏れ出てしまうおそれを低減することができる。
【００７０】
更に、請求項２に記載のスイッチ操作装置（１００）では、第２操作ノブ（５ｂ）の第４壁部（５５ｂ）の外側表面（５５ｂ１）よりも、第１操作ノブ（５ａ）の第３フランジ部（５８ａ）の外側端面（５８ａ１）がアウターパネル（６）の第３壁部（６１３）の側に配置されている。
【００７１】
つまり、請求項２に記載のスイッチ操作装置（１００）では、第１操作ノブ（５ａ）の第３フランジ部（５８ａ）と第２操作ノブ（５ｂ）の第４壁部（５５ｂ）とがオーバーラップしている。
【００７２】
そのため、請求項２に記載のスイッチ操作装置（１００）によれば、第１操作ノブ（５ａ）の第３フランジ部（５８ａ）の外側端面（５８ａ１）が第２操作ノブ（５ｂ）の第４壁部（５５ｂ）の外側表面（５５ｂ１）よりアウターパネル（６）の第４壁部（６１４）の側に配置されている場合よりも、光源（３ａ，３ｂ）からの光の一部が第１操作ノブ（５ａ）の第３フランジ部（５８ａ）の外側端面（５８ａ１）と第２操作ノブ（５ｂ）の第４壁部（５５ｂ）の外側表面（５５ｂ１）との隙間を介して漏れ出てしまうおそれを低減することができる。
【００７３】
また、請求項２に記載のスイッチ操作装置（１００）では、第１スイッチ素子（２ａ）の第１可動部（２ａ２）を第１スイッチハウジング（２ａ１）に格納する側に付勢するための弾性変形部（５６ａ２ｂ）と係止部（５６ａ２ａ）とを有するストッパー部（５６ａ２）が第１操作ノブ（５ａ）に形成されている。更に、第１操作ノブ（５ａ）のストッパー部（５６ａ２）の係止部（５６ａ２ａ）を係止するための第１ストッパー部（４４ａ）が、アウターパネル（６）と基板（１）との間に配置されたインナーケース（４）に形成されている。
【００７４】
詳細には、請求項２に記載のスイッチ操作装置（１００）では、第１操作ノブ（５ａ）の操作部（５１ａ）が基板（１）の側に押圧されると、第１操作ノブ（５ａ）の操作部（５１ａ）が基板（１）に近づく向きに第１操作ノブ（５ａ）が回転軸（５６ａ１）を中心に回転せしめられ、第１操作ノブ（５ａ）によって第１スイッチ素子（２ａ）の第１可動部（２ａ２）が第１スイッチハウジング（２ａ１）に格納される側に押動され、それにより、第１操作ノブ（５ａ）の弾性変形部（５６ａ２ｂ）によって第１可動部（２ａ２）を第１スイッチハウジング（２ａ１）に格納する側に付勢する力が減少すると共に、第１スイッチ素子（２ａ）によって第１可動部（２ａ２）を第１スイッチハウジング（２ａ１）から突出する側に付勢する力が増加する。
【００７５】
次いで、請求項２に記載のスイッチ操作装置（１００）では、第１操作ノブ（５ａ）の操作部（５１ａ）に対する押圧力が解除されると、第１スイッチ素子（２ａ）の第１可動部（２ａ２）が第１スイッチハウジング（２ａ１）から突出する側に移動することによって、第１操作ノブ（５ａ）の操作部（５１ａ）が基板（１）から離れる向きに第１操作ノブ（５ａ）が回転軸（５６ａ１）を中心に回転せしめられ、それにより、第１操作ノブ（５ａ）の弾性変形部（５６ａ２ｂ）によって第１可動部（２ａ２）を第１スイッチハウジング（２ａ１）に格納する側に付勢する力が増加すると共に、第１スイッチ素子（２ａ）によって第１可動部（２ａ２）を第１スイッチハウジング（２ａ１）から突出する側に付勢する力が減少し、その結果、第１操作ノブ（５ａ）の操作部（５１ａ）が基板（１）から離れる向きの第１操作ノブ（５ａ）の回転が減速する。
【００７６】
つまり、請求項２に記載のスイッチ操作装置（１００）では、第１操作ノブ（５ａ）の操作部（５１ａ）に対する押圧力の解除に伴う第１操作ノブ（５ａ）の回転を減速させるために、第１操作ノブ（５ａ）の第２フランジ部（５７ａ）がアウターパネル（６）に最初に当接せしめられるのではなく、第１操作ノブ（５ａ）の弾性変形部（５６ａ２ｂ）によって第１可動部（２ａ２）が第１スイッチハウジング（２ａ１）に格納される側に付勢される。
【００７７】
すなわち、請求項２に記載のスイッチ操作装置（１００）では、第１操作ノブ（５ａ）の操作部（５１ａ）に対する押圧力の解除に伴う第１操作ノブ（５ａ）の回転を減速させるために、第１スイッチ素子（２ａ）によって第１可動部（２ａ２）を第１スイッチハウジング（２ａ１）から突出する側に付勢する力が、第１操作ノブ（５ａ）の弾性変形部（５６ａ２ｂ）によって第１可動部（２ａ２）を第１スイッチハウジング（２ａ１）に格納する側に付勢する力により相殺される。
【００７８】
そのため、請求項２に記載のスイッチ操作装置（１００）によれば、第１操作ノブ（５ａ）の第２フランジ部（５７ａ）がアウターパネル（６）に最初に当接せしめられる場合よりも、第１操作ノブ（５ａ）の操作部（５１ａ）に対する押圧力の解除に伴う第１操作ノブ（５ａ）の回転停止時に発生する音を低減することができる。
【００７９】
更に、請求項２に記載のスイッチ操作装置（１００）では、第２スイッチ素子（２ｂ）の第２可動部（２ｂ２）を第２スイッチハウジング（２ｂ１）に格納する側に付勢するための弾性変形部（５６ｂ２ｂ）と係止部（５６ｂ２ａ）とを有するストッパー部（５６ｂ２）が第２操作ノブ（５ｂ）に形成されている。更に、第２操作ノブ（５ｂ）のストッパー部（５６ｂ２）の係止部（５６ｂ２ａ）を係止するための第２ストッパー部（４４ｂ）が、アウターパネル（６）と基板（１）との間に配置されたインナーケース（４）に形成されている。
【００８０】
詳細には、請求項２に記載のスイッチ操作装置（１００）では、第２操作ノブ（５ｂ）の操作部（５１ｂ）が基板（１）の側に押圧されると、第２操作ノブ（５ｂ）の操作部（５１ｂ）が基板（１）に近づく向きに第２操作ノブ（５ｂ）が回転軸（５６ｂ１）を中心に回転せしめられ、第２操作ノブ（５ｂ）によって第２スイッチ素子（２ｂ）の第２可動部（２ｂ２）が第２スイッチハウジング（２ｂ１）に格納される側に押動され、それにより、第２操作ノブ（５ｂ）の弾性変形部（５６ｂ２ｂ）によって第２可動部（２ｂ２）を第２スイッチハウジング（２ｂ１）に格納する側に付勢する力が減少すると共に、第２スイッチ素子（２ｂ）によって第２可動部（２ｂ２）を第２スイッチハウジング（２ｂ１）から突出する側に付勢する力が増加する。
【００８１】
次いで、請求項２に記載のスイッチ操作装置（１００）では、第２操作ノブ（５ｂ）の操作部（５１ｂ）に対する押圧力が解除されると、第２スイッチ素子（２ｂ）の第２可動部（２ｂ２）が第２スイッチハウジング（２ｂ１）から突出する側に移動することによって、第２操作ノブ（５ｂ）の操作部（５１ｂ）が基板（１）から離れる向きに第２操作ノブ（５ｂ）が回転軸（５６ｂ１）を中心に回転せしめられ、それにより、第２操作ノブ（５ｂ）の弾性変形部（５６ｂ２ｂ）によって第２可動部（２ｂ２）を第２スイッチハウジング（２ｂ１）に格納する側に付勢する力が増加すると共に、第２スイッチ素子（２ｂ）によって第２可動部（２ｂ２）を第２スイッチハウジング（２ｂ１）から突出する側に付勢する力が減少し、その結果、第２操作ノブ（５ｂ）の操作部（５１ｂ）が基板（１）から離れる向きの第２操作ノブ（５ｂ）の回転が減速する。
【００８２】
つまり、請求項２に記載のスイッチ操作装置（１００）では、第２操作ノブ（５ｂ）の操作部（５１ｂ）に対する押圧力の解除に伴う第２操作ノブ（５ｂ）の回転を減速させるために、第２操作ノブ（５ｂ）の第２フランジ部（５７ｂ）がアウターパネル（６）に最初に当接せしめられるのではなく、第２操作ノブ（５ｂ）の弾性変形部（５６ｂ２ｂ）によって第２可動部（２ｂ２）が第２スイッチハウジング（２ｂ１）に格納される側に付勢される。
【００８３】
すなわち、請求項２に記載のスイッチ操作装置（１００）では、第２操作ノブ（５ｂ）の操作部（５１ｂ）に対する押圧力の解除に伴う第２操作ノブ（５ｂ）の回転を減速させるために、第２スイッチ素子（２ｂ）によって第２可動部（２ｂ２）を第２スイッチハウジング（２ｂ１）から突出する側に付勢する力が、第２操作ノブ（５ｂ）の弾性変形部（５６ｂ２ｂ）によって第２可動部（２ｂ２）を第２スイッチハウジング（２ｂ１）に格納する側に付勢する力により相殺される。
【００８４】
そのため、請求項２に記載のスイッチ操作装置（１００）によれば、第２操作ノブ（５ｂ）の第２フランジ部（５７ｂ）がアウターパネル（６）に最初に当接せしめられる場合よりも、第２操作ノブ（５ｂ）の操作部（５１ｂ）に対する押圧力の解除に伴う第２操作ノブ（５ｂ）の回転停止時に発生する音を低減することができる。
【００８５】
換言すれば、請求項２に記載のスイッチ操作装置（１００）によれば、スイッチ操作装置（１００）全体を小型化しつつ、光源（３ａ，３ｂ）からの光の一部が第１操作ノブ（５ａ）、第２操作ノブ（５ｂ）およびアウターパネル（６）の相互間の隙間を介して漏れ出てしまうおそれを低減することができ、更に、第１操作ノブ（５ａ）の操作部（５１ａ）および第２操作ノブ（５ｂ）の操作部（５１ｂ）に対する押圧力の解除時に発生する音を低減することができる。
【００８６】
請求項３に記載のスイッチ操作装置（１００）では、第１操作ノブ（５ａ）の操作部（５１ａ）の側に延びているオーバーハング部（５８ａ２）が、第１操作ノブ（５ａ）の第３フランジ部（５８ａ）に形成されている。また、第１操作ノブ（５ａ）の第３フランジ部（５８ａ）の外側表面（５８ａ１）が、第２操作ノブ（５ｂ）の第４壁部（５５ｂ）の内側表面（５５ｂ２）よりもアウターパネル（６）の第３壁部（６１３）の側に配置されている。更に、第１操作ノブ（５ａ）の第３フランジ部（５８ａ）のオーバーハング部（５８ａ２）の先端面（５８ａ２ａ）が、第２操作ノブ（５ｂ）の第４壁部（５５ｂ）の基板側表面（５５ｂ３）よりも第２操作ノブ（５ｂ）の操作部（５１ｂ）の側に配置されている。
【００８７】
つまり、請求項３に記載のスイッチ操作装置（１００）では、第１操作ノブ（５ａ）の第３壁部（５４ａ）とオーバーハング部（５８ａ２）とによって、第２操作ノブ（５ｂ）の第４壁部（５５ｂ）が挟まれている。
【００８８】
そのため、請求項３に記載のスイッチ操作装置（１００）によれば、第１操作ノブ（５ａ）の操作部（５１ａ）の側に延びているオーバーハング部（５８ａ２）が第１操作ノブ（５ａ）の第３フランジ部（５８ａ）に形成されておらず、第１操作ノブ（５ａ）の第３フランジ部（５８ａ）の外側表面（５８ａ１）が第２操作ノブ（５ｂ）の第４壁部（５５ｂ）の内側表面（５５ｂ２）よりもアウターパネル（６）の第３壁部（６１３）の側に配置されておらず、第１操作ノブ（５ａ）の第３フランジ部（５８ａ）のオーバーハング部（５８ａ２）の先端面（５８ａ２ａ）が第２操作ノブ（５ｂ）の第４壁部（５５ｂ）の基板側表面（５５ｂ３）よりも第２操作ノブ（５ｂ）の操作部（５１ｂ）の側に配置されていない場合よりも、光源（３ａ，３ｂ）からの光の一部が第１操作ノブ（５ａ）の第３フランジ部（５８ａ）の外側表面（５８ａ１）と第２操作ノブ（５ｂ）の第４壁部（５５ｂ）の外側表面（５５ｂ１）との隙間を介して漏れ出てしまうおそれを低減することができる。
【００８９】
換言すれば、請求項３に記載のスイッチ操作装置（１００）によれば、第１操作ノブ（５ａ）の第３壁部（５４ａ）とオーバーハング部（５８ａ２）とによって第２操作ノブ（５ｂ）の第４壁部（５５ｂ）が挟まれていない場合よりも、光源（３ａ，３ｂ）からの光の一部が第１操作ノブ（５ａ）の第３フランジ部（５８ａ）の外側表面（５８ａ１）と第２操作ノブ（５ｂ）の第４壁部（５５ｂ）の外側表面（５５ｂ１）との隙間を介して漏れ出てしまうおそれを低減することができる。
【図面の簡単な説明】
【００９０】
【図１】第１の実施形態のスイッチ操作装置１００の概略的な正面図である。
【図２】第１の実施形態のスイッチ操作装置１００の断面図である。
【図３】第１の実施形態のスイッチ操作装置１００の断面図である。
【図４】第１の実施形態のスイッチ操作装置１００の一部を構成する基板１、スイッチ素子２ａ，２ｂ，２ｃおよび光源３ａ，３ｂ，３ｃを示した図である。
【図５】第１の実施形態のスイッチ操作装置１００の一部を構成するインナーケース４の部品図である。
【図６】第１の実施形態のスイッチ操作装置１００の一部を構成するインナーケース４の部品図である。
【図７】第１の実施形態のスイッチ操作装置１００の一部を構成する操作ノブ５ａの部品図である。
【図８】第１の実施形態のスイッチ操作装置１００の一部を構成する操作ノブ５ｂの部品図である。
【図９】第１の実施形態のスイッチ操作装置１００の一部を構成する操作ノブ５ｃの部品図である。
【図１０】第１の実施形態のスイッチ操作装置１００の一部を構成するアウターパネル６の部品図である。
【図１１】第１の実施形態のスイッチ操作装置１００の操作ノブ５ａ，５ｂ，５ｃの操作部５１ａ，５１ｂ，５１ｃが基板１の側に押圧された状態を示した図である。
【図１２】第１の実施形態のスイッチ操作装置１００の操作ノブ５ａ，５ｂ，５ｃのストッパー部５６ａ２，５６ｂ２，５６ｃ２およびインナーケース４のストッパー部４ａ，４ｂ，４ｃの概略的な拡大鉛直断面図である。
【図１３】第１の実施形態のスイッチ操作装置１００の光源３ａ，３ｂ，３ｃからの光Ｌ３ａ，Ｌ３ｂ，Ｌ３ｃの光路を示した図である。
【図１４】第１の実施形態のスイッチ操作装置１００の光源３ａ，３ｂ，３ｃからの光Ｌ３ａ，Ｌ３ｂ，Ｌ３ｃの光路を示した図である。
【図１５】第５の実施形態のスイッチ操作装置１００の断面図である。
【図１６】第５の実施形態のスイッチ操作装置１００の断面図である。
【図１７】第５の実施形態のスイッチ操作装置１００の操作ノブ５ａ，５ｂ，５ｃの操作部５１ａ，５１ｂ，５１ｃが基板１の側に押圧された状態を示した図である。
【図１８】第６の実施形態のスイッチ操作装置１００の断面図である。
【図１９】第６の実施形態のスイッチ操作装置１００の断面図である。
【図２０】第６の実施形態のスイッチ操作装置１００の操作ノブ５ａ，５ｂ，５ｃの操作部５１ａ，５１ｂ，５１ｃが基板１の側に押圧された状態を示した図である。
【図２１】第７の実施形態のスイッチ操作装置１００の断面図である。
【図２２】第７の実施形態のスイッチ操作装置１００の断面図である。
【図２３】第７の実施形態のスイッチ操作装置１００の操作ノブ５ａ，５ｂ，５ｃの操作部５１ａ，５１ｂ，５１ｃが基板１の側に押圧された状態を示した図である。
【図２４】第８の実施形態のスイッチ操作装置１００の断面図である。
【図２５】第８の実施形態のスイッチ操作装置１００の一部を構成する操作ノブ５ａの部品図である。
【図２６】第８の実施形態のスイッチ操作装置１００の一部を構成する操作ノブ５ｂの部品図である。
【図２７】第８の実施形態のスイッチ操作装置１００の一部を構成する操作ノブ５ｃの部品図である。
【発明を実施するための形態】
【００９１】
図１は第１の実施形態のスイッチ操作装置１００の概略的な正面図である。図２および図３は第１の実施形態のスイッチ操作装置１００の断面図である。詳細には、図２（Ａ）は図１のＡ−Ａ線に沿った概略的な鉛直断面図、図２（Ｂ）は図１のＢ−Ｂ線に沿った概略的な鉛直断面図、図３（Ａ）は図１のＤ−Ｄ線に沿った概略的な鉛直断面図、図３（Ｂ）は図１のＤ−Ｄ線に沿った概略的な水平断面図である。図４は第１の実施形態のスイッチ操作装置１００の一部を構成する基板１、スイッチ素子２ａ，２ｂ，２ｃおよび光源３ａ，３ｂ，３ｃを示した図である。詳細には、図４（Ａ）は基板１、スイッチ素子２ａ，２ｂ，２ｃおよび光源３ａ，３ｂ，３ｃによって構成される組立体の正面図、図４（Ｂ）は図４（Ａ）のＥ−Ｅ線に沿った概略的な鉛直断面図、図４（Ｃ）は図４（Ａ）のＦ−Ｆ線に沿った概略的な鉛直断面図、図４（Ｄ）は図４（Ａ）のＧ−Ｇ線に沿った概略的な鉛直断面図である。
【００９２】
図５および図６は第１の実施形態のスイッチ操作装置１００の一部を構成するインナーケース４の部品図である。詳細には、図５（Ａ）はインナーケース４の正面図、図５（Ｂ）は図５（Ａ）のＨ−Ｈ線に沿った概略的な鉛直断面図、図５（Ｃ）は図５（Ａ）のＩ−Ｉ線に沿った概略的な鉛直断面図、図５（Ｄ）は図５（Ａ）のＪ−Ｊ線に沿った概略的な鉛直断面図、図５（Ｅ）は図５（Ａ）のＫ−Ｋ線に沿った概略的な鉛直断面図、図５（Ｆ）は図５（Ａ）のＬ−Ｌ線に沿った概略的な鉛直断面図、図５（Ｇ）は図５（Ａ）のＭ−Ｍ線に沿った概略的な鉛直断面図である。図６（Ａ）は図５（Ａ）のＮ−Ｎ線に沿った概略的な鉛直断面図、図６（Ｂ）は図５（Ａ）のＰ−Ｐ線に沿った概略的な鉛直断面図、図６（Ｃ）は図５（Ａ）のＱ−Ｑ線に沿った概略的な鉛直断面図、図６（Ｄ）は図５（Ａ）のＲ−Ｒ線に沿った概略的な水平断面図、図６（Ｅ）は図５（Ａ）のＳ−Ｓ線に沿った概略的な水平断面図である。
【００９３】
図７は第１の実施形態のスイッチ操作装置１００の一部を構成する操作ノブ５ａの部品図である。詳細には、図７（Ａ）は操作ノブ５ａの平面図、図７（Ｂ）は操作ノブ５ａの左側面図、図７（Ｃ）は操作ノブ５ａの正面図、図７（Ｄ）は操作ノブ５ａの右側面図、図７（Ｅ）は操作ノブ５ａの底面図、図７（Ｆ）は図７（Ｃ）のＴ−Ｔ線に沿った概略的な水平断面図、図７（Ｇ）は操作ノブ５ａの後側面図、図７（Ｈ）は図７（Ｇ）のＵ−Ｕ線に沿った概略的な鉛直断面図である。図８は第１の実施形態のスイッチ操作装置１００の一部を構成する操作ノブ５ｂの部品図である。詳細には、図８（Ａ）は操作ノブ５ｂの平面図、図８（Ｂ）は操作ノブ５ｂの左側面図、図８（Ｃ）は操作ノブ５ｂの正面図、図８（Ｄ）は操作ノブ５ｂの右側面図、図８（Ｅ）は操作ノブ５ｂの底面図、図８（Ｆ）は図８（Ｃ）のＶ−Ｖ線に沿った概略的な水平断面図、図８（Ｇ）は操作ノブ５ｂの後側面図、図８（Ｈ）は図８（Ｇ）のＷ−Ｗ線に沿った概略的な鉛直断面図である。図９は第１の実施形態のスイッチ操作装置１００の一部を構成する操作ノブ５ｃの部品図である。詳細には、図９（Ａ）は操作ノブ５ｃの平面図、図９（Ｂ）は操作ノブ５ｃの左側面図、図９（Ｃ）は操作ノブ５ｃの正面図、図９（Ｄ）は操作ノブ５ｃの右側面図、図９（Ｅ）は操作ノブ５ｃの底面図、図９（Ｆ）は図９（Ｃ）のａ−ａ線に沿った概略的な水平断面図、図９（Ｇ）は操作ノブ５ｃの後側面図、図９（Ｈ）は図９（Ｇ）のｂ−ｂ線に沿った概略的な鉛直断面図である。
【００９４】
図１０は第１の実施形態のスイッチ操作装置１００の一部を構成するアウターパネル６の部品図である。詳細には、図１０（Ａ）はアウターパネル６の正面図、図１０（Ｂ）は図１０（Ａ）のｃ−ｃ線に沿った概略的な鉛直断面図、図１０（Ｃ）は図１０（Ａ）のｄ−ｄ線に沿った概略的な水平断面図である。図１１は第１の実施形態のスイッチ操作装置１００の操作ノブ５ａ，５ｂ，５ｃの操作部５１ａ，５１ｂ，５１ｃが基板１の側に押圧された状態を示した図である。詳細には、図１１（Ａ）は操作ノブ５ａの操作部５１ａが基板１の側に押圧された状態における図１のＡ−Ａ線に沿った概略的な鉛直断面図、図１１（Ｂ）は操作ノブ５ｂの操作部５１ｂが基板１の側に押圧された状態における図１のＢ−Ｂ線に沿った概略的な鉛直断面図、図１１（Ｃ）は操作ノブ５ｃの操作部５１ｃが基板１の側に押圧された状態における図１のＣ−Ｃ線に沿った概略的な鉛直断面図である。
【００９５】
図１１は第１の実施形態のスイッチ操作装置１００の操作ノブ５ａ，５ｂ，５ｃのストッパー部５６ａ２，５６ｂ２，５６ｃ２およびインナーケース４のストッパー部４ａ，４ｂ，４ｃの概略的な拡大鉛直断面図である。詳細には、図１２（Ａ）は図２（Ａ）中の操作ノブ５ａのストッパー部５６ａおよびインナーケース４のストッパー部４ａを拡大して示した図、図１２（Ｂ）は図１１（Ａ）中の操作ノブ５ａのストッパー部５６ａおよびインナーケース４のストッパー部４ａを拡大して示した図である。図１２（Ｃ）は図２（Ｂ）中の操作ノブ５ｂのストッパー部５６ｂおよびインナーケース４のストッパー部４ｂを拡大して示した図、図１２（Ｄ）は図１１（Ｂ）中の操作ノブ５ｂのストッパー部５６ｂおよびインナーケース４のストッパー部４ｂを拡大して示した図である。図１２（Ｅ）は図３（Ａ）中の操作ノブ５ｃのストッパー部５６ｃおよびインナーケース４のストッパー部４ｃを拡大して示した図、図１２（Ｆ）は図１１（Ｃ）中の操作ノブ５ｃのストッパー部５６ｃおよびインナーケース４のストッパー部４ｃを拡大して示した図である。
【００９６】
図１３および図１４は第１の実施形態のスイッチ操作装置１００の光源３ａ，３ｂ，３ｃからの光Ｌ３ａ，Ｌ３ｂ，Ｌ３ｃの光路を示した図である。詳細には、図１３（Ａ）は図１のＡ−Ａ線に沿った鉛直断面内における光源３ａからの光Ｌ３ａの光路を示した図、図１３（Ｂ）は図１のＢ−Ｂ線に沿った鉛直断面内における光源３ｂからの光Ｌ３ｂの光路を示した図、図１４（Ａ）は図１のＣ−Ｃ線に沿った鉛直断面内における光源３ｃからの光Ｌ３ｃの光路を示した図、図１４（Ｂ）は図１のＤ−Ｄ線に沿った水平断面内における光源３ａ，３ｂ，３ｃからの光Ｌ３ａ，Ｌ３ｂ，Ｌ３ｃの光路を示した図である。
【００９７】
第１の実施形態のスイッチ操作装置１００では、図４（Ａ）および図４（Ｂ）に示すように、スイッチハウジング２ａ１と、スイッチハウジング２ａ１から突出する側（図４（Ｂ）の左側）に付勢された可動部２ａ２とを有するスイッチ素子２ａが基板１に搭載されている。また、図４（Ａ）および図４（Ｃ）に示すように、スイッチハウジング２ｂ１と、スイッチハウジング２ｂ１から突出する側（図４（Ｃ）の左側）に付勢された可動部２ｂ２とを有するスイッチ素子２ｂが基板１に搭載されている。更に、図４（Ａ）および図４（Ｄ）に示すように、スイッチハウジング２ｃ１と、スイッチハウジング２ｃ１から突出する側（図４（Ｄ）の左側）に付勢された可動部２ｃ２とを有するスイッチ素子２ｃが基板１に搭載されている。
【００９８】
更に、第１の実施形態のスイッチ操作装置１００では、スイッチ素子２ａ（図２（Ａ）、図４（Ａ）、図４（Ｂ）および図１１（Ａ）参照）の可動部２ａ２（図４（Ａ）および図４（Ｂ）参照）をスイッチハウジング２ａ１（図４（Ａ）および図４（Ｂ）参照）に格納する側（図２（Ａ）、図４（Ｂ）および図１１（Ａ）の右側）に押動するための回転式の操作ノブ５ａ（図１、図２（Ａ）、図３（Ｂ）、図７および図１１（Ａ）参照）が設けられている。また、スイッチ素子２ｂ（図２（Ｂ）、図４（Ａ）、図４（Ｃ）および図１１（Ｂ）参照）の可動部２ｂ２（図４（Ａ）および図４（Ｃ）参照）をスイッチハウジング２ｂ１（図４（Ａ）および図４（Ｃ）参照）に格納する側（図２（Ｂ）、図４（Ｃ）および図１１（Ｂ）の右側）に押動するための回転式の操作ノブ５ｂ（図１、図２（Ｂ）、図３（Ｂ）、図８および図１１（Ｂ）参照）が設けられている。更に、スイッチ素子２ｃ（図３（Ａ）、図４（Ａ）、図４（Ｄ）および図１１（Ｃ）参照）の可動部２ｃ２（図４（Ａ）および図４（Ｄ）参照）をスイッチハウジング２ｃ１（図４（Ａ）および図４（Ｄ）参照）に格納する側（図３（Ａ）、図４（Ｄ）および図１１（Ｃ）の右側）に押動するための回転式の操作ノブ５ｃ（図１、図３（Ａ）、図３（Ｂ）、図９および図１１（Ｃ）参照）が設けられている。
【００９９】
第１の実施形態のスイッチ操作装置１００では、３組のスイッチ素子２ａ，２ｂ，２ｃおよび操作ノブ５ａ，５ｂ，５ｃが設けられているが、第２の実施形態のスイッチ操作装置１００では、代わりに、３組とは異なる複数組のスイッチ素子および操作ノブを設けることも可能である。
【０１００】
また、第１の実施形態のスイッチ操作装置１００では、操作ノブ５ａ（図１、図２（Ａ）、図３（Ｂ）、図７および図１１（Ａ）参照）の回転軸５６ａ１（図２（Ａ）、図７および図１１（Ａ）参照）と、操作ノブ５ｂ（図１、図２（Ｂ）、図３（Ｂ）、図８および図１１（Ｂ）参照）の回転軸５６ｂ１（図２（Ｂ）、図８および図１１（Ｂ）参照）と、操作ノブ５ｃ（図１、図３（Ａ）、図３（Ｂ）、図９および図１１（Ｃ）参照）の回転軸５６ｃ１（図３（Ａ）、図９および図１１（Ｃ）参照）とが概略同一直線上に配列されている。
【０１０１】
第１の実施形態のスイッチ操作装置１００では、操作ノブ５ａの回転軸５６ａ１が操作ノブ５ａの一部によって構成され、操作ノブ５ｂの回転軸５６ｂ１が操作ノブ５ｂの一部によって構成され、操作ノブ５ｃの回転軸５６ｃ１が操作ノブ５ｃの一部によって構成されているが、第３の実施形態のスイッチ操作装置１００では、代わりに、インナーケース４の一部によって操作ノブ５ａ，５ｂ，５ｃの回転軸を構成することも可能である。
【０１０２】
更に、第１の実施形態のスイッチ操作装置１００では、図１３（Ａ）に示すように、操作ノブ５ａと基板１との間に光源３ａが配置され、図１３（Ｂ）に示すように、操作ノブ５ｂと基板１との間に光源３ｂが配置され、図１４（Ａ）に示すように、操作ノブ５ｃと基板１との間に光源３ｃが配置されているが、第４の実施形態のスイッチ操作装置１００では、代わりに、操作ノブ５ａ，５ｂ，５ｃと基板１との間に１個以上の任意の数の光源２を配置することも可能である。
【０１０３】
詳細には、第１の実施形態のスイッチ操作装置１００では、概略矩形の操作部５１ａ（図２（Ａ）、図３（Ｂ）および図７（Ｃ）参照）が操作ノブ５ａ（図１、図２（Ａ）、図３（Ｂ）、図７および図１１（Ａ）参照）に設けられている。また、操作ノブ５ａの概略矩形の操作部５１ａの少なくとも一部分に透光部（図示せず）が形成されている。そのため、図１３（Ａ）および図１４（Ｂ）に示すように、光源３ａからの光がインナーケース４の開口４３ａおよび操作ノブ５ａの操作部５１ａの透光部（図示せず）を透過せしめられ、操作者の側（図１３（Ａ）の左側、図１４（Ｂ）の下側）に照射される。
【０１０４】
また、第１の実施形態のスイッチ操作装置１００では、概略矩形の操作部５１ｂ（図２（Ｂ）、図３（Ｂ）および図８（Ｃ）参照）が操作ノブ５ｂ（図１、図２（Ｂ）、図３（Ｂ）、図８および図１１（Ｂ）参照）に設けられている。また、操作ノブ５ｂの概略矩形の操作部５１ｂの少なくとも一部分に透光部（図示せず）が形成されている。そのため、図１３（Ｂ）および図１４（Ｂ）に示すように、光源３ｂからの光がインナーケース４の開口４３ｂおよび操作ノブ５ｂの操作部５１ｂの透光部（図示せず）を透過せしめられ、操作者の側（図１３（Ｂ）の左側、図１４（Ｂ）の下側）に照射される。
【０１０５】
同様に、第１の実施形態のスイッチ操作装置１００では、概略矩形の操作部５１ｃ（図３（Ａ）、図３（Ｂ）および図９（Ｃ）参照）が操作ノブ５ｃ（図１、図３（Ａ）、図３（Ｂ）、図９および図１１（Ｃ）参照）に設けられている。また、操作ノブ５ｃの概略矩形の操作部５１ｃの少なくとも一部分に透光部（図示せず）が形成されている。そのため、図１４（Ａ）および図１４（Ｂ）に示すように、光源３ｃからの光がインナーケース４の開口４３ｃおよび操作ノブ５ｃの操作部５１ｃの透光部（図示せず）を透過せしめられ、操作者の側（図１４（Ａ）の左側、図１４（Ｂ）の下側）に照射される。
【０１０６】
更に、第１の実施形態のスイッチ操作装置１００では、図１〜図３に示すように、アウターパネル６の概略矩形の開口６１（図１０参照）内に操作ノブ５ａ，５ｂ，５ｃが配置されている。更に、図７に示すように、操作ノブ５ａの概略矩形の操作部５１ａの外周部うち、回転軸５６ａ１の側（図７（Ｈ）の下側）の部分から基板１（図２（Ａ）参照）の側（図７（Ｈ）の左側）に延びている壁部５２ａと、回転軸５６ａ１の反対側（図７（Ｈ）の上側）の部分から基板１の側（図７（Ｈ）の左側）に延びている壁部５３ａと、操作ノブ５ｂ（図３（Ｂ）参照）の側（図７（Ｆ）の右側）の部分から基板１（図３（Ｂ）参照）の側（図７（Ｆ）の下側）に延びている壁部５４ａと、操作ノブ５ｂの反対側（図７（Ｆ）の左側）の部分から基板１の側（図７（Ｆ）の下側）に延びている壁部５５ａとが形成されている。
【０１０７】
更に、第１の実施形態のスイッチ操作装置１００では、図８に示すように、操作ノブ５ｂの概略矩形の操作部５１ｂの外周部うち、回転軸５６ｂ１の側（図８（Ｈ）の下側）の部分から基板１（図２（Ｂ）参照）の側（図８（Ｈ）の左側）に延びている壁部５２ｂと、回転軸５６ｂ１の反対側（図８（Ｈ）の上側）の部分から基板１の側（図８（Ｈ）の左側）に延びている壁部５３ｂと、操作ノブ５ａ（図３（Ｂ）参照）の反対側（図８（Ｆ）の右側）の部分から基板１（図３（Ｂ）参照）の側（図８（Ｆ）の下側）に延びている壁部５４ｂと、操作ノブ５ａの側（図８（Ｆ）の左側）の部分から基板１の側（図８（Ｆ）の下側）に延びている壁部５５ｂとが形成されている。
【０１０８】
また、第１の実施形態のスイッチ操作装置１００では、図９に示すように、操作ノブ５ｃの概略矩形の操作部５１ｃの外周部うち、回転軸５６ｃ１の側（図９（Ｈ）の下側）の部分から基板１（図３（Ａ）参照）の側（図９（Ｈ）の左側）に延びている壁部５２ｃと、回転軸５６ｃ１の反対側（図９（Ｈ）の上側）の部分から基板１の側（図９（Ｈ）の左側）に延びている壁部５３ｃと、操作ノブ５ｂ（図３（Ｂ）参照）の反対側（図９（Ｆ）の右側）の部分から基板１（図３（Ｂ）参照）の側（図９（Ｆ）の下側）に延びている壁部５４ｃと、操作ノブ５ｂの側（図９（Ｆ）の左側）の部分から基板１の側（図９（Ｆ）の下側）に延びている壁部５５ｃとが形成されている。
【０１０９】
更に、第１の実施形態のスイッチ操作装置１００では、図７に示すように、操作ノブ５ａの壁部５２ａの外側表面から回転軸５６ａ１の側（図７（Ｈ）の下側）に基板１（図２（Ａ）参照）に概略平行に延びているフランジ部５６ａと、操作ノブ５ａの壁部５３ａの外側表面から回転軸５６ａ１の反対側（図７（Ｈ）の上側）に基板１に概略平行に延びているフランジ部５７ａと、操作ノブ５ａの壁部５４ａの外側表面から操作ノブ５ｂ（図３（Ｂ）参照）の側（図７（Ｆ）の右側）に基板１（図３（Ｂ）参照）に概略平行に延びているフランジ部５８ａと、操作ノブ５ａの壁部５５ａの外側表面から操作ノブ５ｂの反対側（図７（Ｆ）の左側）に基板１に概略平行に延びているフランジ部５９ａとが形成されている。
【０１１０】
また、第１の実施形態のスイッチ操作装置１００では、図８に示すように、操作ノブ５ｂの壁部５２ｂの外側表面から回転軸５６ｂ１の側（図８（Ｈ）の下側）に基板１（図２（Ｂ）参照）に概略平行に延びているフランジ部５６ｂと、操作ノブ５ｂの壁部５３ｂの外側表面から回転軸５６ｂ１の反対側（図８（Ｈ）の上側）に基板１に概略平行に延びているフランジ部５７ｂと、操作ノブ５ｂの壁部５４ｂの外側表面から操作ノブ５ａ（図３（Ｂ）参照）の反対側（図８（Ｆ）の右側）に基板１（図３（Ｂ）参照）に概略平行に延びているフランジ部５８ｂとが形成されている。
【０１１１】
つまり、第１の実施形態のスイッチ操作装置１００では、図８に示すように、操作ノブ５ｂの壁部５５ｂの外側表面から操作ノブ５ａ（図３（Ｂ）参照）の側（図８（Ｆ）の左側）に基板１（図３（Ｂ）参照）に概略平行に延びているフランジ部が形成されていない。そのため、第１の実施形態のスイッチ操作装置１００によれば、操作ノブ５ｂの壁部５５ｂの外側表面から操作ノブ５ａの側（図８（Ｆ）の左側）に基板１に概略平行に延びているフランジ部が形成されている場合よりも、図３（Ｂ）に示すように、操作ノブ５ａの操作部５１ａと操作ノブ５ｂの操作部５１ｂとを近接させて配置することができ、スイッチ操作装置１００全体を小型化することができる。
【０１１２】
更に、第１の実施形態のスイッチ操作装置１００では、図９に示すように、操作ノブ５ｃの壁部５２ｃの外側表面から回転軸５６ｃ１の側（図９（Ｈ）の下側）に基板１（図３（Ａ）参照）に概略平行に延びているフランジ部５６ｃと、操作ノブ５ｃの壁部５３ｃの外側表面から回転軸５６ｃ１の反対側（図９（Ｈ）の上側）に基板１に概略平行に延びているフランジ部５７ｃと、操作ノブ５ｃの壁部５４ｃの外側表面から操作ノブ５ｂ（図３（Ｂ）参照）の反対側（図９（Ｆ）の右側）に基板１（図３（Ｂ）参照）に概略平行に延びているフランジ部５８ｃとが形成されている。
【０１１３】
つまり、第１の実施形態のスイッチ操作装置１００では、図９に示すように、操作ノブ５ｃの壁部５５ｃの外側表面から操作ノブ５ｂ（図３（Ｂ）参照）の側（図９（Ｆ）の左側）に基板１（図３（Ｂ）参照）に概略平行に延びているフランジ部が形成されていない。そのため、第１の実施形態のスイッチ操作装置１００によれば、操作ノブ５ｃの壁部５５ｃの外側表面から操作ノブ５ｂの側（図９（Ｆ）の左側）に基板１に概略平行に延びているフランジ部が形成されている場合よりも、図３（Ｂ）に示すように、操作ノブ５ｂの操作部５１ｂと操作ノブ５ｃの操作部５１ｃとを近接させて配置することができ、スイッチ操作装置１００全体を小型化することができる。
【０１１４】
詳細には、第１の実施形態のスイッチ操作装置１００では、図７（Ｆ）に示すように、操作ノブ５ａの回転軸５６ａ１（図７（Ａ）および図７（Ｅ）参照）が中央部分５６ａ１ａと右側部分５６ａ１ｂと左側部分５６ａ１ｃとによって構成されている。また、回転軸５６ａ１が連結部５６ａ５ａ，５６ａ５ｂを介してフランジ部５６ａ（図７（Ｈ）参照）に接続されている。更に、スイッチ素子２ａ（図２（Ａ）、図４および図１１（Ａ）参照）のスイッチハウジング２ａ１（図４参照）に格納される側（図２（Ａ）および図１１（Ａ）の右側）に可動部２ａ２（図４参照）を押動するための押動部５３ａ１（図２（Ａ）、図７および図１１（Ａ）参照）が操作ノブ５ａに形成されている。
【０１１５】
また、第１の実施形態のスイッチ操作装置１００では、図２（Ａ）に示すように、インナーケース４の軸受部４１ａによって操作ノブ５ａの回転軸５６ａ１が回転可能に支持されている。詳細には、図５（Ａ）、図５（Ｂ）、図５（Ｃ）および図５（Ｄ）に示すように、抜け止め部４１ａ１，４１ａ２および突き当て部４１ａ３によってインナーケース４の軸受部４１ａ（図２（Ａ）参照）が構成されている。更に、操作ノブ５ａ（図７参照）の回転軸５６ａ１（図７（Ｅ）参照）の中央部分５６ａ１ａ（図７（Ｆ）参照）が、インナーケース４（図５および図６参照）の突き当て部４１ａ３（図５（Ａ）および図５（Ｃ）参照）に突き当てられ、操作ノブ５ａの回転軸５６ａ１の右側部分５６ａ１ｂ（図７参照）が、インナーケース４の抜け止め部４１ａ２（図５（Ａ）および図５（Ｄ）参照）によって係止され、操作ノブ５ａの回転軸５６ａ１の左側部分５６ａ１ｃ（図７参照）が、インナーケース４の抜け止め部４１ａ１（図５（Ａ）および図５（Ｂ）参照）によって係止されている。また、図２（Ａ）に示すように、スイッチ素子２ａの可動部２ａ２（図４参照）が、インナーケース４に形成された穴４２ａ（図５（Ａ）および図５（Ｃ）参照）を透過せしめられている。
【０１１６】
更に、第１の実施形態のスイッチ操作装置１００では、図８（Ｆ）に示すように、操作ノブ５ｂの回転軸５６ｂ１（図８（Ａ）および図８（Ｅ）参照）が中央部分５６ｂ１ａと右側部分５６ｂ１ｂと左側部分５６ｂ１ｃとによって構成されている。また、回転軸５６ｂ１が連結部５６ｂ５ａ，５６ｂ５ｂを介してフランジ部５６ｂ（図８（Ｈ）参照）に接続されている。更に、スイッチ素子２ｂ（図２（Ｂ）、図４および図１１（Ｂ）参照）のスイッチハウジング２ｂ１（図４参照）に格納される側（図２（Ｂ）および図１１（Ｂ）の右側）に可動部２ｂ２（図４参照）を押動するための押動部５３ｂ１（図２（Ｂ）、図８および図１１（Ｂ）参照）が操作ノブ５ｂに形成されている。
【０１１７】
また、第１の実施形態のスイッチ操作装置１００では、図２（Ｂ）に示すように、インナーケース４の軸受部４１ｂによって操作ノブ５ｂの回転軸５６ｂ１が回転可能に支持されている。詳細には、図５（Ａ）、図５（Ｅ）、図５（Ｆ）および図５（Ｇ）に示すように、抜け止め部４１ｂ１，４１ｂ２および突き当て部４１ｂ３によってインナーケース４の軸受部４１ｂ（図２（Ｂ）参照）が構成されている。更に、操作ノブ５ｂ（図８参照）の回転軸５６ｂ１（図８（Ｅ）参照）の中央部分５６ｂ１ａ（図８（Ｆ）参照）が、インナーケース４（図５および図６参照）の突き当て部４１ｂ３（図５（Ａ）および図５（Ｆ）参照）に突き当てられ、操作ノブ５ｂの回転軸５６ｂ１の右側部分５６ｂ１ｂ（図８参照）が、インナーケース４の抜け止め部４１ｂ２（図５（Ａ）および図５（Ｇ）参照）によって係止され、操作ノブ５ｂの回転軸５６ｂ１の左側部分５６ｂ１ｃ（図８参照）が、インナーケース４の抜け止め部４１ｂ１（図５（Ａ）および図５（Ｅ）参照）によって係止されている。また、図２（Ｂ）に示すように、スイッチ素子２ｂの可動部２ｂ２（図４参照）が、インナーケース４に形成された穴４２ｂ（図５（Ａ）および図５（Ｆ）参照）を透過せしめられている。
【０１１８】
更に、第１の実施形態のスイッチ操作装置１００では、図９（Ｆ）に示すように、操作ノブ５ｃの回転軸５６ｃ１（図９（Ａ）および図９（Ｅ）参照）が中央部分５６ｃ１ａと右側部分５６ｃ１ｂと左側部分５６ｃ１ｃとによって構成されている。また、回転軸５６ｃ１が連結部５６ｃ５ａ，５６ｃ５ｂを介してフランジ部５６ｃ（図９（Ｈ）参照）に接続されている。更に、スイッチ素子２ｃ（図３（Ａ）、図４および図１１（Ｃ）参照）のスイッチハウジング２ｃ１（図４参照）に格納される側（図３（Ａ）および図１１（Ｃ）の右側）に可動部２ｃ２（図４参照）を押動するための押動部５３ｃ１（図３（Ａ）、図９および図１１（Ｃ）参照）が操作ノブ５ｃに形成されている。
【０１１９】
また、第１の実施形態のスイッチ操作装置１００では、図３（Ａ）に示すように、インナーケース４の軸受部４１ｃによって操作ノブ５ｃの回転軸５６ｃ１が回転可能に支持されている。詳細には、図５（Ａ）、図６（Ａ）、図６（Ｂ）および図６（Ｃ）に示すように、抜け止め部４１ｃ１，４１ｃ２および突き当て部４１ｃ３によってインナーケース４の軸受部４１ｃ（図３（Ａ）参照）が構成されている。更に、操作ノブ５ｃ（図９参照）の回転軸５６ｃ１（図９（Ｅ）参照）の中央部分５６ｃ１ａ（図９（Ｆ）参照）が、インナーケース４（図５および図６参照）の突き当て部４１ｃ３（図５（Ａ）および図６（Ｂ）参照）に突き当てられ、操作ノブ５ｃの回転軸５６ｃ１の右側部分５６ｃ１ｂ（図９参照）が、インナーケース４の抜け止め部４１ｃ２（図５（Ａ）および図６（Ｃ）参照）によって係止され、操作ノブ５ｃの回転軸５６ｃ１の左側部分５６ｃ１ｃ（図９参照）が、インナーケース４の抜け止め部４１ｃ１（図５（Ａ）および図６（Ａ）参照）によって係止されている。また、図３（Ａ）に示すように、スイッチ素子２ｃの可動部２ｃ２（図４参照）が、インナーケース４に形成された穴４２ｃ（図５（Ａ）および図６（Ｂ）参照）を透過せしめられている。
【０１２０】
更に、第１の実施形態のスイッチ操作装置１００では、操作ノブ５ａ（図２（Ａ）参照）の壁部５２ａ（図２（Ａ）参照）、操作ノブ５ｂ（図２（Ｂ）参照）の壁部５２ｂ（図２（Ｂ）参照）および操作ノブ５ｃ（図３（Ａ）参照）の壁部５２ｃ（図３（Ａ）参照）に隣接するアウターパネル６（図１、図２、図３および図１０参照）の壁部６１１（図２、図３（Ａ）および図１０（Ｂ）参照）と、操作ノブ５ａ（図２（Ａ）参照）の壁部５３ａ（図２（Ａ）参照）、操作ノブ５ｂ（図２（Ｂ）参照）の壁部５３ｂ（図２（Ｂ）参照）および操作ノブ５ｃ（図３（Ａ）参照）の壁部５３ｃ（図３（Ａ）参照）に隣接するアウターパネル６（図１、図２、図３および図１０参照）の壁部６１２（図２、図３（Ａ）および図１０（Ｂ）参照）と、操作ノブ５ｂ，５ｃ（図３（Ｂ）参照）を隔てて操作ノブ５ａ（図３（Ｂ）参照）の反対側（図３（Ｂ）の右側）に位置するアウターパネル６（図１、図２、図３および図１０参照）の壁部６１３（図３（Ｂ）および図１０（Ｃ）参照）と、操作ノブ５ａ（図３（Ｂ）参照）の壁部５５ａ（図３（Ｂ）参照）に隣接するアウターパネル６（図１、図２、図３および図１０参照）の壁部６１４（図３（Ｂ）および図１０（Ｃ）参照）とによって、アウターパネル６の概略矩形の開口６１（図１０参照）が画定されている。
【０１２１】
また、第１の実施形態のスイッチ操作装置１００では、アウターパネル６（図１、図２、図３および図１０参照）の壁部６１１（図２、図３（Ａ）および図１０（Ｂ）参照）の内側表面６１１ｂ（図２、図３（Ａ）および図１０（Ｂ）参照）よりも、操作ノブ５ａ（図２（Ａ）参照）のフランジ部５６ａ（図２（Ａ）参照）の外側端面５６ａ４（図２（Ａ）参照）、操作ノブ５ｂ（図２（Ｂ）参照）のフランジ部５６ｂ（図２（Ｂ）参照）の外側端面５６ｂ４（図２（Ｂ）参照）および操作ノブ５ｃ（図３（Ａ）参照）のフランジ部５６ｃ（図３（Ａ）参照）の外側端面５６ｃ４（図３（Ａ）参照）が外側（図２および図３（Ａ）の上側）に配置されている。
【０１２２】
つまり、第１の実施形態のスイッチ操作装置１００では、操作ノブ５ａ（図２（Ａ）参照）のフランジ部５６ａ（図２（Ａ）参照）とアウターパネル６（図２（Ａ）参照）の壁部６１１（図２（Ａ）参照）とがオーバーラップすると共に、操作ノブ５ｂ（図２（Ｂ）参照）のフランジ部５６ｂ（図２（Ｂ）参照）とアウターパネル６（図２（Ｂ）参照）の壁部６１１（図２（Ｂ）参照）とがオーバーラップし、かつ、操作ノブ５ｃ（図３（Ａ）参照）のフランジ部５６ｃ（図３（Ａ）参照）とアウターパネル６（図３（Ａ）参照）の壁部６１１（図３（Ａ）参照）とがオーバーラップしている。
【０１２３】
そのため、第１の実施形態のスイッチ操作装置１００によれば、操作ノブ５ａ（図２（Ａ）参照）のフランジ部５６ａ（図２（Ａ）参照）の外側端面５６ａ４（図２（Ａ）参照）、操作ノブ５ｂ（図２（Ｂ）参照）のフランジ部５６ｂ（図２（Ｂ）参照）の外側端面５６ｂ４（図２（Ｂ）参照）および操作ノブ５ｃ（図３（Ａ）参照）のフランジ部５６ｃ（図３（Ａ）参照）の外側端面５６ｃ４（図３（Ａ）参照）がアウターパネル６（図２および図３（Ａ）参照）の壁部６１１（図２および図３（Ａ）参照）の内側表面６１１ｂ（図２および図３（Ａ）参照）より内側（図２および図３（Ａ）の下側）に配置されている場合よりも、光源３ａ，３ｂ，３ｃ（図２および図３（Ａ）参照）からの光の一部が操作ノブ５ａ（図２（Ａ）参照）のフランジ部５６ａ（図２（Ａ）参照）の外側端面５６ａ４（図２（Ａ）参照）とアウターパネル６（図２（Ａ）参照）の壁部６１１（図２（Ａ）参照）の内側表面６１１ｂ（図２（Ａ）参照）との隙間、操作ノブ５ｂ（図２（Ｂ）参照）のフランジ部５６ｂ（図２（Ｂ）参照）の外側端面５６ｂ４（図２（Ｂ）参照）とアウターパネル６（図２（Ｂ）参照）の壁部６１１（図２（Ｂ）参照）の内側表面６１１ｂ（図２（Ｂ）参照）との隙間および操作ノブ５ｃ（図３（Ａ）参照）のフランジ部５６ｃ（図３（Ａ）参照）の外側端面５６ｃ４（図３（Ａ）参照）とアウターパネル６（図３（Ａ）参照）の壁部６１１（図３（Ａ）参照）の内側表面６１１ｂ（図３（Ａ）参照）との隙間を介して漏れ出てしまうおそれを低減することができる。
【０１２４】
更に、第１の実施形態のスイッチ操作装置１００では、アウターパネル６（図１、図２、図３および図１０参照）の壁部６１２（図２、図３（Ａ）および図１０（Ｂ）参照）の内側表面６１２ａ（図２、図３（Ａ）および図１０（Ｂ）参照）よりも、操作ノブ５ａ（図２（Ａ）参照）のフランジ部５７ａ（図２（Ａ）参照）の外側端面５７ａ１（図２（Ａ）参照）、操作ノブ５ｂ（図２（Ｂ）参照）のフランジ部５７ｂ（図２（Ｂ）参照）の外側端面５７ｂ１（図２（Ｂ）参照）および操作ノブ５ｃ（図３（Ａ）参照）のフランジ部５７ｃ（図３（Ａ）参照）の外側端面５７ｃ１（図３（Ａ）参照）が外側（図２および図３（Ａ）の下側）に配置されている。
【０１２５】
つまり、第１の実施形態のスイッチ操作装置１００では、操作ノブ５ａ（図２（Ａ）参照）のフランジ部５７ａ（図２（Ａ）参照）とアウターパネル６（図２（Ａ）参照）の壁部６１２（図２（Ａ）参照）とがオーバーラップすると共に、操作ノブ５ｂ（図２（Ｂ）参照）のフランジ部５７ｂ（図２（Ｂ）参照）とアウターパネル６（図２（Ｂ）参照）の壁部６１２（図２（Ｂ）参照）とがオーバーラップし、かつ、操作ノブ５ｃ（図３（Ａ）参照）のフランジ部５７ｃ（図３（Ａ）参照）とアウターパネル６（図３（Ａ）参照）の壁部６１２（図３（Ａ）参照）とがオーバーラップしている。
【０１２６】
そのため、第１の実施形態のスイッチ操作装置１００によれば、操作ノブ５ａ（図２（Ａ）参照）のフランジ部５７ａ（図２（Ａ）参照）の外側端面５７ａ１（図２（Ａ）参照）、操作ノブ５ｂ（図２（Ｂ）参照）のフランジ部５７ｂ（図２（Ｂ）参照）の外側端面５７ｂ１（図２（Ｂ）参照）および操作ノブ５ｃ（図３（Ａ）参照）のフランジ部５７ｃ（図３（Ａ）参照）の外側端面５７ｃ１（図３（Ａ）参照）がアウターパネル６（図２および図３（Ａ）参照）の壁部６１２（図２および図３（Ａ）参照）の内側表面６１２ａ（図２および図３（Ａ）参照）より内側（図２および図３（Ａ）の上側）に配置されている場合よりも、光源３ａ，３ｂ，３ｃ（図２および図３（Ａ）参照）からの光の一部が操作ノブ５ａ（図２（Ａ）参照）のフランジ部５７ａ（図２（Ａ）参照）の外側端面５７ａ１（図２（Ａ）参照）とアウターパネル６（図２（Ａ）参照）の壁部６１２（図２（Ａ）参照）の内側表面６１２ａ（図２（Ａ）参照）との隙間、操作ノブ５ｂ（図２（Ｂ）参照）のフランジ部５７ｂ（図２（Ｂ）参照）の外側端面５７ｂ１（図２（Ｂ）参照）とアウターパネル６（図２（Ｂ）参照）の壁部６１２（図２（Ｂ）参照）の内側表面６１２ａ（図２（Ｂ）参照）との隙間および操作ノブ５ｃ（図３（Ａ）参照）のフランジ部５７ｃ（図３（Ａ）参照）の外側端面５７ｃ１（図３（Ａ）参照）とアウターパネル６（図３（Ａ）参照）の壁部６１２（図３（Ａ）参照）の内側表面６１２ａ（図３（Ａ）参照）との隙間を介して漏れ出てしまうおそれを低減することができる。
【０１２７】
また、第１の実施形態のスイッチ操作装置１００では、図３（Ｂ）に示すように、アウターパネル６の壁部６１４の内側表面６１４ｃよりも、操作ノブ５ａのフランジ部５９ａの外側端面５９ａ１が外側（図３（Ｂ）の左側）に配置されている。
【０１２８】
つまり、第１の実施形態のスイッチ操作装置１００では、図３（Ｂ）に示すように、操作ノブ５ａのフランジ部５９ａとアウターパネル６の壁部６１４とがオーバーラップしている。
【０１２９】
そのため、第１の実施形態のスイッチ操作装置１００によれば、操作ノブ５ａ（図３（Ｂ）参照）のフランジ部５９ａ（図３（Ｂ）参照）の外側端面５９ａ１（図３（Ｂ）参照）がアウターパネル６（図３（Ｂ）参照）の壁部６１４（図３（Ｂ）参照）の内側表面６１４ｃ（図３（Ｂ）参照）より内側（図３（Ｂ）の右側）に配置されている場合よりも、光源３ａ，３ｂ，３ｃ（図３（Ｂ）参照）からの光の一部が操作ノブ５ａのフランジ部５９ａの外側端面５９ａ１とアウターパネル６の壁部６１４の内側表面６１４ｃとの隙間を介して漏れ出てしまうおそれを低減することができる。
【０１３０】
更に、第１の実施形態のスイッチ操作装置１００では、図３（Ｂ）に示すように、操作ノブ５ｂの壁部５５ｂの外側表面５５ｂ１よりも、操作ノブ５ａのフランジ部５８ａの外側端面５８ａ１がアウターパネル６の壁部６１３の側（図３（Ｂ）の右側）に配置されている。
【０１３１】
つまり、第１の実施形態のスイッチ操作装置１００では、図３（Ｂ）に示すように、操作ノブ５ａのフランジ部５８ａと操作ノブ５ｂの壁部５５ｂとがオーバーラップしている。
【０１３２】
そのため、第１の実施形態のスイッチ操作装置１００によれば、操作ノブ５ａ（図３（Ｂ）参照）のフランジ部５８ａ（図３（Ｂ）参照）の外側端面５８ａ１（図３（Ｂ）参照）が操作ノブ５ｂ（図３（Ｂ）参照）の壁部５５ｂ（図３（Ｂ）参照）の外側表面５５ｂ１（図３（Ｂ）参照）よりアウターパネル６の壁部６１４の側（図３（Ｂ）の左側）に配置されている場合よりも、光源３ａ，３ｂ，３ｃ（図３（Ｂ）参照）からの光の一部が操作ノブ５ａのフランジ部５８ａの外側端面５８ａ１と操作ノブ５ｂの壁部５５ｂの外側表面５５ｂ１との隙間を介して漏れ出てしまうおそれを低減することができる。
【０１３３】
また、第１の実施形態のスイッチ操作装置１００では、図３（Ｂ）に示すように、操作ノブ５ｃの壁部５５ｃの外側表面５５ｃ１よりも、操作ノブ５ｂのフランジ部５８ｂの外側端面５８ｂ１がアウターパネル６の壁部６１３の側（図３（Ｂ）の右側）に配置されている。
【０１３４】
つまり、第１の実施形態のスイッチ操作装置１００では、図３（Ｂ）に示すように、操作ノブ５ｂのフランジ部５８ｂと操作ノブ５ｃの壁部５５ｃとがオーバーラップしている。
【０１３５】
そのため、第１の実施形態のスイッチ操作装置１００によれば、操作ノブ５ｂ（図３（Ｂ）参照）のフランジ部５８ｂ（図３（Ｂ）参照）の外側端面５８ｂ１（図３（Ｂ）参照）が操作ノブ５ｃ（図３（Ｂ）参照）の壁部５５ｃ（図３（Ｂ）参照）の外側表面５５ｃ１（図３（Ｂ）参照）よりアウターパネル６の壁部６１４の側（図３（Ｂ）の左側）に配置されている場合よりも、光源３ａ，３ｂ，３ｃ（図３（Ｂ）参照）からの光の一部が操作ノブ５ｂのフランジ部５８ｂの外側端面５８ｂ１と操作ノブ５ｃの壁部５５ｃの外側表面５５ｃ１との隙間を介して漏れ出てしまうおそれを低減することができる。
【０１３６】
更に、第１の実施形態のスイッチ操作装置１００では、図３（Ｂ）に示すように、アウターパネル６の壁部６１３の内側表面６１３ｄよりも、操作ノブ５ｃのフランジ部５８ｃの外側端面５８ｃ１が外側（図３（Ｂ）の右側）に配置されている。
【０１３７】
つまり、第１の実施形態のスイッチ操作装置１００では、図３（Ｂ）に示すように、操作ノブ５ｃのフランジ部５８ｃとアウターパネル６の壁部６１３とがオーバーラップしている。
【０１３８】
そのため、第１の実施形態のスイッチ操作装置１００によれば、操作ノブ５ｃ（図３（Ｂ）参照）のフランジ部５８ｃ（図３（Ｂ）参照）の外側端面５８ｃ１（図３（Ｂ）参照）がアウターパネル６（図３（Ｂ）参照）の壁部６１３（図３（Ｂ）参照）の内側表面６１３ｄ（図３（Ｂ）参照）より内側（図３（Ｂ）の左側）に配置されている場合よりも、光源３ａ，３ｂ，３ｃ（図３（Ｂ）参照）からの光の一部が操作ノブ５ｃのフランジ部５８ｃの外側端面５８ｃ１とアウターパネル６の壁部６１３の内側表面６１３ｄとの隙間を介して漏れ出てしまうおそれを低減することができる。
【０１３９】
また、第１の実施形態のスイッチ操作装置１００では、図７（Ｈ）に示すように、操作ノブ５ａの回転軸５６ａ１（図７（Ｇ）参照）を隔てて操作ノブ５ａのフランジ部５７ａの反対側（図７（Ｈ）の下側）に操作ノブ５ａのストッパー部５６ａ２が配置されている。更に、操作ノブ５ａの回転軸５６ａ１（図７（Ｇ）参照）から操作ノブ５ａのストッパー部５６ａ２までの距離が、操作ノブ５ａの回転軸５６ａ１（図７（Ｇ）参照）から操作ノブ５ａのフランジ部５７ａまでの距離よりも小さくされている。また、図２（Ａ）に示すように、アウターパネル６と基板１との間に配置されたインナーケース４にストッパー部４４ａが形成されている。
【０１４０】
詳細には、第１の実施形態のスイッチ操作装置１００では、図１１（Ａ）に示すように、操作ノブ５ａの操作部５１ａが基板１の側（図１１（Ａ）の右側）に押圧されると、操作ノブ５ａの操作部５１ａが基板１に近づく向きに（図１１（Ａ）の反時計回りに）操作ノブ５ａが回転軸５６ａ１を中心に回転せしめられ、操作ノブ５ａの押動部５３ａ１によってスイッチ素子２ａの可動部２ａ２（図４参照）がスイッチハウジング２ａ１（図４参照）に格納される側（図１１（Ａ）の右側）に押動される。また、図１２（Ｂ）に示すように、操作ノブ５ａのストッパー部５６ａ２がインナーケース４のストッパー部４４ａから離間せしめられる。次いで、操作ノブ５ａの操作部５１ａに対する押圧力が解除されると、図２（Ａ）および図１２（Ａ）に示すように、スイッチ素子２ａの可動部２ａ２（図４参照）がスイッチハウジング２ａ１（図４参照）から突出する側（図２（Ａ）の左側）に移動することにより、操作ノブ５ａの操作部５１ａが基板１から離れる向きに（図２（Ａ）の時計回りに）操作ノブ５ａが回転軸５６ａ１を中心に回転せしめられ、操作ノブ５ａのストッパー部５６ａ２がインナーケース４のストッパー部４４ａに最初に当接することにより、操作ノブ５ａの操作部５１ａが基板１から離れる向きの（図２（Ａ）の時計回りの）操作ノブ５ａの回転が減速する。
【０１４１】
つまり、第１の実施形態のスイッチ操作装置１００では、図２（Ａ）に示すように、操作ノブ５ａの操作部５１ａに対する押圧力の解除に伴う操作ノブ５ａの図２（Ａ）の時計回りの回転を減速・停止させるために、操作ノブ５ａのフランジ部５７ａがアウターパネル６に最初に当接せしめられるのではなく、操作ノブ５ａのフランジ部５７ａよりも操作ノブ５ａの回転軸５６ａ１の近くに配置された操作ノブ５ａのストッパー部５６ａ２がインナーケース４のストッパー部４４ａに最初に当接せしめられる。
【０１４２】
すなわち、第１の実施形態のスイッチ操作装置１００では、図２（Ａ）に示すように、操作ノブ５ａのフランジ部５７ａよりも線速度が低い操作ノブ５ａのストッパー部５６ａ２がインナーケース４のストッパー部４４ａに最初に当接せしめられる。そのため、第１の実施形態のスイッチ操作装置１００によれば、操作ノブ５ａのフランジ部５７ａがアウターパネル６に最初に当接せしめられる場合よりも、操作ノブ５ａの操作部５１ａに対する押圧力の解除に伴う操作ノブ５ａの回転停止時に発生する音を低減することができる。
【０１４３】
更に、第１の実施形態のスイッチ操作装置１００では、図２（Ａ）に示すように、操作ノブ５ａの操作部５１ａに対する押圧力の解除に伴う操作ノブ５ａの回転を減速・停止させるために、アウターパネル６よりも基板１の側（図２（Ａ）の右側）に配置されたインナーケース４に操作ノブ５ａが最初に当接せしめられる。そのため、第１の実施形態のスイッチ操作装置１００によれば、操作ノブ５ａがアウターパネル６に最初に当接せしめられる場合よりも、操作ノブ５ａの操作部５１ａに対する押圧力の解除に伴う操作ノブ５ａの回転停止時に発生する音が図２（Ａ）の左側に位置する操作者に伝わってしまうおそれを低減することができる。
第１の実施形態のスイッチ操作装置１００では、操作ノブ５ａのストッパー部５６ａ２がインナーケース４のストッパー部４４ａに当接せしめられることによって、操作ノブ５ａの回転が完全に停止されるが、第１の実施形態のスイッチ操作装置１００の変形例では、代わりに、操作ノブ５ａのストッパー部５６ａ２をインナーケース４のストッパー部４４ａに最初に当接させることによって操作ノブ５ａの回転を減速させ、次いで、操作ノブ５ａをアウターパネル６に低速で当接させる（突き当てる）ことにより、操作ノブ５ａの回転を完全に停止させ、操作ノブ５ａをアウターパネル６に対して位置決めすることも可能である。
【０１４４】
また、第１の実施形態のスイッチ操作装置１００では、図８（Ｈ）に示すように、操作ノブ５ｂの回転軸５６ｂ１（図８（Ｇ）参照）を隔てて操作ノブ５ｂのフランジ部５７ｂの反対側（図８（Ｈ）の下側）に操作ノブ５ｂのストッパー部５６ｂ２が配置されている。更に、操作ノブ５ｂの回転軸５６ｂ１（図８（Ｇ）参照）から操作ノブ５ｂのストッパー部５６ｂ２までの距離が、操作ノブ５ｂの回転軸５６ｂ１（図８（Ｇ）参照）から操作ノブ５ｂのフランジ部５７ｂまでの距離よりも小さくされている。また、図２（Ｂ）に示すように、アウターパネル６と基板１との間に配置されたインナーケース４にストッパー部４４ｂが形成されている。
【０１４５】
詳細には、第１の実施形態のスイッチ操作装置１００では、図１１（Ｂ）に示すように、操作ノブ５ｂの操作部５１ｂが基板１の側（図１１（Ｂ）の右側）に押圧されると、操作ノブ５ｂの操作部５１ｂが基板１に近づく向きに（図１１（Ｂ）の反時計回りに）操作ノブ５ｂが回転軸５６ｂ１を中心に回転せしめられ、操作ノブ５ｂの押動部５３ｂ１によってスイッチ素子２ｂの可動部２ｂ２（図４参照）がスイッチハウジング２ｂ１（図４参照）に格納される側（図１１（Ｂ）の右側）に押動される。また、図１２（Ｄ）に示すように、操作ノブ５ｂのストッパー部５６ｂ２がインナーケース４のストッパー部４４ｂから離間せしめられる。次いで、操作ノブ５ｂの操作部５１ｂに対する押圧力が解除されると、図２（Ｂ）および図１２（Ｃ）に示すように、スイッチ素子２ｂの可動部２ｂ２（図４参照）がスイッチハウジング２ｂ１（図４参照）から突出する側（図２（Ｂ）の左側）に移動することにより、操作ノブ５ｂの操作部５１ｂが基板１から離れる向きに（図２（Ｂ）の時計回りに）操作ノブ５ｂが回転軸５６ｂ１を中心に回転せしめられ、操作ノブ５ｂのストッパー部５６ｂ２がインナーケース４のストッパー部４４ｂに最初に当接することにより、操作ノブ５ｂの操作部５１ｂが基板１から離れる向きの（図２（Ｂ）の時計回りの）操作ノブ５ｂの回転が減速する。
【０１４６】
つまり、第１の実施形態のスイッチ操作装置１００では、図２（Ｂ）に示すように、操作ノブ５ｂの操作部５１ｂに対する押圧力の解除に伴う操作ノブ５ｂの図２（Ｂ）の時計回りの回転を減速・停止させるために、操作ノブ５ｂのフランジ部５７ｂがアウターパネル６に最初に当接せしめられるのではなく、操作ノブ５ｂのフランジ部５７ｂよりも操作ノブ５ｂの回転軸５６ｂ１の近くに配置された操作ノブ５ｂのストッパー部５６ｂ２がインナーケース４のストッパー部４４ｂに最初に当接せしめられる。
【０１４７】
すなわち、第１の実施形態のスイッチ操作装置１００では、図２（Ｂ）に示すように、操作ノブ５ｂのフランジ部５７ｂよりも線速度が低い操作ノブ５ｂのストッパー部５６ｂ２がインナーケース４のストッパー部４４ｂに最初に当接せしめられる。そのため、第１の実施形態のスイッチ操作装置１００によれば、操作ノブ５ｂのフランジ部５７ｂがアウターパネル６に最初に当接せしめられる場合よりも、操作ノブ５ｂの操作部５１ｂに対する押圧力の解除に伴う操作ノブ５ｂの回転停止時に発生する音を低減することができる。
【０１４８】
更に、第１の実施形態のスイッチ操作装置１００では、図２（Ｂ）に示すように、操作ノブ５ｂの操作部５１ｂに対する押圧力の解除に伴う操作ノブ５ｂの回転を減速・停止させるために、アウターパネル６よりも基板１の側（図２（Ｂ）の右側）に配置されたインナーケース４に操作ノブ５ｂが最初に当接せしめられる。そのため、第１の実施形態のスイッチ操作装置１００によれば、操作ノブ５ｂがアウターパネル６に最初に当接せしめられる場合よりも、操作ノブ５ｂの操作部５１ｂに対する押圧力の解除に伴う操作ノブ５ｂの回転停止時に発生する音が図２（Ｂ）の左側に位置する操作者に伝わってしまうおそれを低減することができる。
第１の実施形態のスイッチ操作装置１００では、操作ノブ５ｂのストッパー部５６ｂ２がインナーケース４のストッパー部４４ｂに当接せしめられることによって、操作ノブ５ｂの回転が完全に停止されるが、第１の実施形態のスイッチ操作装置１００の変形例では、代わりに、操作ノブ５ｂのストッパー部５６ｂ２をインナーケース４のストッパー部４４ｂに最初に当接させることによって操作ノブ５ｂの回転を減速させ、次いで、操作ノブ５ｂをアウターパネル６に低速で当接させる（突き当てる）ことにより、操作ノブ５ｂの回転を完全に停止させ、操作ノブ５ｂをアウターパネル６に対して位置決めすることも可能である。
【０１４９】
また、第１の実施形態のスイッチ操作装置１００では、図９（Ｈ）に示すように、操作ノブ５ｃの回転軸５６ｃ１（図９（Ｇ）参照）を隔てて操作ノブ５ｃのフランジ部５７ｃの反対側（図９（Ｈ）の下側）に操作ノブ５ｃのストッパー部５６ｃ２が配置されている。更に、操作ノブ５ｃの回転軸５６ｃ１（図９（Ｇ）参照）から操作ノブ５ｃのストッパー部５６ｃ２までの距離が、操作ノブ５ｃの回転軸５６ｃ１（図９（Ｇ）参照）から操作ノブ５ｃのフランジ部５７ｃまでの距離よりも小さくされている。また、図３（Ａ）に示すように、アウターパネル６と基板１との間に配置されたインナーケース４にストッパー部４４ｃが形成されている。
【０１５０】
詳細には、第１の実施形態のスイッチ操作装置１００では、図１１（Ｃ）に示すように、操作ノブ５ｃの操作部５１ｃが基板１の側（図１１（Ｃ）の右側）に押圧されると、操作ノブ５ｃの操作部５１ｃが基板１に近づく向きに（図１１（Ｃ）の反時計回りに）操作ノブ５ｃが回転軸５６ｃ１を中心に回転せしめられ、操作ノブ５ｃの押動部５３ｃ１によってスイッチ素子２ｃの可動部２ｃ２（図４参照）がスイッチハウジング２ｃ１（図４参照）に格納される側（図１１（Ｃ）の右側）に押動される。また、図１２（Ｆ）に示すように、操作ノブ５ｃのストッパー部５６ｃ２がインナーケース４のストッパー部４４ｃから離間せしめられる。次いで、操作ノブ５ｃの操作部５１ｃに対する押圧力が解除されると、図３（Ａ）および図１２（Ｅ）に示すように、に示すように、スイッチ素子２ｃの可動部２ｃ２（図４参照）がスイッチハウジング２ｃ１（図４参照）から突出する側（図３（Ａ）の左側）に移動することにより、操作ノブ５ｃの操作部５１ｃが基板１から離れる向きに（図３（Ａ）の時計回りに）操作ノブ５ｃが回転軸５６ｃ１を中心に回転せしめられ、操作ノブ５ｃのストッパー部５６ｃ２がインナーケース４のストッパー部４４ｃに最初に当接することにより、操作ノブ５ｃの操作部５１ｃが基板１から離れる向きの（図３（Ａ）の時計回りの）操作ノブ５ｃの回転が減速する。
【０１５１】
つまり、第１の実施形態のスイッチ操作装置１００では、図３（Ａ）に示すように、操作ノブ５ｃの操作部５１ｃに対する押圧力の解除に伴う操作ノブ５ｃの図３（Ａ）の時計回りの回転を減速・停止させるために、操作ノブ５ｃのフランジ部５７ｃがアウターパネル６に最初に当接せしめられるのではなく、操作ノブ５ｃのフランジ部５７ｃよりも操作ノブ５ｃの回転軸５６ｃ１の近くに配置された操作ノブ５ｃのストッパー部５６ｃ２がインナーケース４のストッパー部４４ｃに最初に当接せしめられる。
【０１５２】
すなわち、第１の実施形態のスイッチ操作装置１００では、図３（Ａ）に示すように、操作ノブ５ｃのフランジ部５７ｃよりも線速度が低い操作ノブ５ｃのストッパー部５６ｃ２がインナーケース４のストッパー部４４ｃに最初に当接せしめられる。そのため、第１の実施形態のスイッチ操作装置１００によれば、操作ノブ５ｃのフランジ部５７ｃがアウターパネル６に最初に当接せしめられる場合よりも、操作ノブ５ｃの操作部５１ｃに対する押圧力の解除に伴う操作ノブ５ｃの回転停止時に発生する音を低減することができる。
【０１５３】
更に、第１の実施形態のスイッチ操作装置１００では、図３（Ａ）に示すように、操作ノブ５ｃの操作部５１ｃに対する押圧力の解除に伴う操作ノブ５ｃの回転を減速・停止させるために、アウターパネル６よりも基板１の側（図３（Ａ）の右側）に配置されたインナーケース４に操作ノブ５ｃが最初に当接せしめられる。そのため、第１の実施形態のスイッチ操作装置１００によれば、操作ノブ５ｃがアウターパネル６に最初に当接せしめられる場合よりも、操作ノブ５ｃの操作部５１ｃに対する押圧力の解除に伴う操作ノブ５ｃの回転停止時に発生する音が図３（Ａ）の左側に位置する操作者に伝わってしまうおそれを低減することができる。
第１の実施形態のスイッチ操作装置１００では、操作ノブ５ｃのストッパー部５６ｃ２がインナーケース４のストッパー部４４ｃに当接せしめられることによって、操作ノブ５ｃの回転が完全に停止されるが、第１の実施形態のスイッチ操作装置１００の変形例では、代わりに、操作ノブ５ｃのストッパー部５６ｃ２をインナーケース４のストッパー部４４ｃに最初に当接させることによって操作ノブ５ｃの回転を減速させ、次いで、操作ノブ５ｃをアウターパネル６に低速で当接させる（突き当てる）ことにより、操作ノブ５ｃの回転を完全に停止させ、操作ノブ５ｃをアウターパネル６に対して位置決めすることも可能である。
【０１５４】
以下、本発明のスイッチ操作装置１００の第５の実施形態について説明する。第５の実施形態のスイッチ操作装置１００は、後述する点を除き、上述した第１の実施形態のスイッチ操作装置１００とほぼ同様に構成されている。従って、第５の実施形態のスイッチ操作装置１００によれば、後述する点を除き、上述した第１の実施形態のスイッチ操作装置１００とほぼ同様の効果を奏することができる。
【０１５５】
図１５および図１６は第５の実施形態のスイッチ操作装置１００の断面図である。詳細には、図１５（Ａ）は図１のＡ−Ａ線に沿った概略的な鉛直断面図、図１５（Ｂ）は図１のＢ−Ｂ線に沿った概略的な鉛直断面図、図１６（Ａ）は図１のＤ−Ｄ線に沿った概略的な鉛直断面図、図１６（Ｂ）は図１のＤ−Ｄ線に沿った概略的な水平断面図である。図１７は第５の実施形態のスイッチ操作装置１００の操作ノブ５ａ，５ｂ，５ｃの操作部５１ａ，５１ｂ，５１ｃが基板１の側に押圧された状態を示した図である。詳細には、図１７（Ａ）は操作ノブ５ａの操作部５１ａが基板１の側に押圧された状態における図１のＡ−Ａ線に沿った概略的な鉛直断面図、図１７（Ｂ）は操作ノブ５ｂの操作部５１ｂが基板１の側に押圧された状態における図１のＢ−Ｂ線に沿った概略的な鉛直断面図、図１７（Ｃ）は操作ノブ５ｃの操作部５１ｃが基板１の側に押圧された状態における図１のＣ−Ｃ線に沿った概略的な鉛直断面図である。
【０１５６】
第１の実施形態のスイッチ操作装置１００では、図２（Ａ）および図１１（Ａ）に示すように、操作ノブ５ａのストッパー部５６ａ２の鉛直断面形状が概略Ｌ字状に形成されているが、第５の実施形態のスイッチ操作装置１００では、代わりに、図１５（Ａ）および図１７（Ａ）に示すように、操作ノブ５ａのストッパー部５６ａ２が概略平板状に形成されている。更に、第１の実施形態のスイッチ操作装置１００では、図２（Ａ）に示すように、操作ノブ５ａのストッパー部５６ａ２がインナーケース４のストッパー部４４ａの上面（図２（Ａ）の上側の面）に最初に当接せしめられるが、第５の実施形態のスイッチ操作装置１００では、代わりに、図１５（Ａ）に示すように、操作ノブ５ａのストッパー部５６ａ２がインナーケース４のストッパー部４４ａの前面（図１５（Ａ）の左側の面）に最初に当接せしめられる。
【０１５７】
また、第１の実施形態のスイッチ操作装置１００では、図２（Ｂ）および図１１（Ｂ）に示すように、操作ノブ５ｂのストッパー部５６ｂ２の鉛直断面形状が概略Ｌ字状に形成されているが、第５の実施形態のスイッチ操作装置１００では、代わりに、図１５（Ｂ）および図１７（Ｂ）に示すように、操作ノブ５ｂのストッパー部５６ｂ２が概略平板状に形成されている。更に、第１の実施形態のスイッチ操作装置１００では、図２（Ｂ）に示すように、操作ノブ５ｂのストッパー部５６ｂ２がインナーケース４のストッパー部４４ｂの上面（図２（Ｂ）の上側の面）に最初に当接せしめられるが、第５の実施形態のスイッチ操作装置１００では、代わりに、図１５（Ｂ）に示すように、操作ノブ５ｂのストッパー部５６ｂ２がインナーケース４のストッパー部４４ｂの前面（図１５（Ｂ）の左側の面）に最初に当接せしめられる。
【０１５８】
同様に、第１の実施形態のスイッチ操作装置１００では、図３（Ａ）および図１１（Ｃ）に示すように、操作ノブ５ｃのストッパー部５６ｃ２の鉛直断面形状が概略Ｌ字状に形成されているが、第５の実施形態のスイッチ操作装置１００では、代わりに、図１６（Ａ）および図１７（Ｃ）に示すように、操作ノブ５ｃのストッパー部５６ｃ２が概略平板状に形成されている。更に、第１の実施形態のスイッチ操作装置１００では、図３（Ａ）に示すように、操作ノブ５ｃのストッパー部５６ｃ２がインナーケース４のストッパー部４４ｃの上面（図３（Ａ）の上側の面）に最初に当接せしめられるが、第５の実施形態のスイッチ操作装置１００では、代わりに、図１６（Ａ）に示すように、操作ノブ５ｃのストッパー部５６ｃ２がインナーケース４のストッパー部４４ｃの前面（図１６（Ａ）の左側の面）に最初に当接せしめられる。
【０１５９】
以下、本発明のスイッチ操作装置１００の第６の実施形態について説明する。第６の実施形態のスイッチ操作装置１００は、後述する点を除き、上述した第１の実施形態のスイッチ操作装置１００とほぼ同様に構成されている。従って、第６の実施形態のスイッチ操作装置１００によれば、後述する点を除き、上述した第１の実施形態のスイッチ操作装置１００とほぼ同様の効果を奏することができる。
【０１６０】
図１８および図１９は第６の実施形態のスイッチ操作装置１００の断面図である。詳細には、図１８（Ａ）は図１のＡ−Ａ線に沿った概略的な鉛直断面図、図１８（Ｂ）は図１のＢ−Ｂ線に沿った概略的な鉛直断面図、図１９（Ａ）は図１のＤ−Ｄ線に沿った概略的な鉛直断面図、図１９（Ｂ）は図１のＤ−Ｄ線に沿った概略的な水平断面図である。図２０は第６の実施形態のスイッチ操作装置１００の操作ノブ５ａ，５ｂ，５ｃの操作部５１ａ，５１ｂ，５１ｃが基板１の側に押圧された状態を示した図である。詳細には、図２０（Ａ）は操作ノブ５ａの操作部５１ａが基板１の側に押圧された状態における図１のＡ−Ａ線に沿った概略的な鉛直断面図、図２０（Ｂ）は操作ノブ５ｂの操作部５１ｂが基板１の側に押圧された状態における図１のＢ−Ｂ線に沿った概略的な鉛直断面図、図２０（Ｃ）は操作ノブ５ｃの操作部５１ｃが基板１の側に押圧された状態における図１のＣ−Ｃ線に沿った概略的な鉛直断面図である。
【０１６１】
第１の実施形態のスイッチ操作装置１００では、図１１（Ａ）に示すように操作ノブ５ａの操作部５１ａが基板１の側（図１１（Ａ）の右側）に押圧されている時に、図１２（Ｂ）に示すように操作ノブ５ａのストッパー部５６ａ２がインナーケース４のストッパー部４４ａから離間せしめられるが、第６の実施形態のスイッチ操作装置１００では、図２０（Ａ）に示すように、操作ノブ５ａの操作部５１ａが基板１の側（図２０（Ａ）の右側）に押圧されている時に、操作ノブ５ａのストッパー部５６ａ２が、インナーケース４のストッパー部４４ａから離間せしめられることなく、インナーケース４のストッパー部４４ａに当接せしめられている。
【０１６２】
詳細には、第６の実施形態のスイッチ操作装置１００では、図１８（Ａ）に示すように、スイッチ素子２ａの可動部２ａ２（図４参照）をスイッチハウジング２ａ１（図４参照）に格納する側（図１８（Ａ）の右側）に付勢するための弾性変形部５６ａ２ｂと係止部５６ａ２ａとが、操作ノブ５ａのストッパー部５６ａ２に設けられている。また、アウターパネル６と基板１との間に配置されたインナーケース４に形成されたストッパー部４４ａに、操作ノブ５ａのストッパー部５６ａ２の係止部５６ａ２ａが係止されている。
【０１６３】
具体的には、第６の実施形態のスイッチ操作装置１００では、図２０（Ａ）に示すように、操作ノブ５ａの操作部５１ａが基板１の側（図２０（Ａ）の右側）に押圧されると、操作ノブ５ａの操作部５１ａが基板１に近づく向きに（図２０（Ａ）の反時計回りに）操作ノブ５ａが回転軸５６ａ１を中心に回転せしめられ、操作ノブ５ａによってスイッチ素子２ａの可動部２ａ２（図４参照）がスイッチハウジング２ａ１（図４参照）に格納される側（図２０（Ａ）の右側）に押動される。それにより、操作ノブ５ａの弾性変形部５６ａ２ｂによって可動部２ａ２（図４参照）をスイッチハウジング２ａ１（図４参照）に格納する側（図２０（Ａ）の右側）に付勢する力が減少すると共に、スイッチ素子２ａによって可動部２ａ２（図４参照）をスイッチハウジング２ａ１（図４参照）から突出する側（図２０（Ａ）の左側）に付勢する力が増加する。
【０１６４】
次いで、第６の実施形態のスイッチ操作装置１００では、操作ノブ５ａの操作部５１ａに対する押圧力が解除されると、図１８（Ａ）に示すように、スイッチ素子２ａの可動部２ａ２（図４参照）がスイッチハウジング２ａ１（図４参照）から突出する側（図１８（Ａ）の左側）に移動することによって、操作ノブ５ａの操作部５１ａが基板１から離れる向きに（図１８（Ａ）の時計回りに）操作ノブ５ａが回転軸５６ａ１を中心に回転せしめられる。それにより、操作ノブ５ａの弾性変形部５６ａ２ｂによって可動部２ａ２（図４参照）をスイッチハウジング２ａ１（図４参照）に格納する側（図１８（Ａ）の右側）に付勢する力が増加すると共に、スイッチ素子２ａによって可動部２ａ２（図４参照）をスイッチハウジング２ａ１（図４参照）から突出する側（図１８（Ａ）の左側）に付勢する力が減少する。その結果、操作ノブ５ａの操作部５１ａが基板１から離れる向きの（図１８（Ａ）の時計回りの）操作ノブ５ａの回転が減速する。
【０１６５】
つまり、第６の実施形態のスイッチ操作装置１００では、図１８（Ａ）に示すように、操作ノブ５ａの操作部５１ａに対する押圧力の解除に伴う操作ノブ５ａの回転を減速・停止させるために、操作ノブ５ａのフランジ部５７ａがアウターパネル６に最初に当接せしめられるのではなく、操作ノブ５ａの弾性変形部５６ａ２ｂによって可動部２ａ２（図４参照）がスイッチハウジング２ａ１（図４参照）に格納される側（図１８（Ａ）の右側）に付勢される。すなわち、第６の実施形態のスイッチ操作装置１００では、操作ノブ５ａの操作部５１ａに対する押圧力の解除に伴う操作ノブ５ａの回転を減速・停止させるために、スイッチ素子２ａによって可動部２ａ２（図４参照）をスイッチハウジング２ａ１（図４参照）から突出する側（図１８（Ａ）の左側）に付勢する力が、操作ノブ５ａの弾性変形部５６ａ２ｂによって可動部２ａ２（図４参照）をスイッチハウジング２ａ１（図４参照）に格納する側（図１８（Ａ）の右側）に付勢する力により相殺される。
【０１６６】
そのため、第６の実施形態のスイッチ操作装置１００によれば、操作ノブ５ａのフランジ部５７ａがアウターパネル６に最初に当接せしめられる場合よりも、操作ノブ５ａの操作部５１ａに対する押圧力の解除に伴う操作ノブ５ａの回転停止時に発生する音を低減することができる。
第６の実施形態のスイッチ操作装置１００では、操作ノブ５ａの弾性変形部５６ａ２ｂにより可動部２ａ２（図４参照）をスイッチハウジング２ａ１（図４参照）に格納する側（図１８（Ａ）の右側）に付勢する力が増加することによって、操作ノブ５ａの操作部５１ａに対する押圧力の解除に伴う操作ノブ５ａの回転が完全に停止されるが、第６の実施形態のスイッチ操作装置１００の変形例では、代わりに、操作ノブ５ａの弾性変形部５６ａ２ｂにより可動部２ａ２（図４参照）をスイッチハウジング２ａ１（図４参照）に格納する側（図１８（Ａ）の右側）に付勢する力が増加することによって操作ノブ５ａの回転を減速させ、次いで、操作ノブ５ａをアウターパネル６に低速で当接させる（突き当てる）ことにより、操作ノブ５ａの回転を完全に停止させ、操作ノブ５ａをアウターパネル６に対して位置決めすることも可能である。
【０１６７】
仮に、操作ノブ５ａの弾性変形部５６ａ２ｂの製造時のばらつき等が原因で、図２０（Ａ）に示すように操作ノブ５ａの操作部５１ａが基板１の側（図２０（Ａ）の右側）に押圧されている時に、図１２（Ｂ）に示すように操作ノブ５ａのストッパー部５６ａ２がインナーケース４のストッパー部４４ａから離間せしめられる場合には、第６の実施形態のスイッチ操作装置１００の操作ノブ５ａ（図１８（Ａ）参照）のストッパー部５６ａ２（図１８（Ａ）参照）が、第１の実施形態のスイッチ操作装置１００の操作ノブ５ａ（図２（Ａ）参照）のストッパー部５６ａ２（図２（Ａ）参照）とほぼ同様に機能する。
【０１６８】
また、第１の実施形態のスイッチ操作装置１００では、図１１（Ｂ）に示すように操作ノブ５ｂの操作部５１ｂが基板１の側（図１１（Ｂ）の右側）に押圧されている時に、図１２（Ｄ）に示すように操作ノブ５ｂのストッパー部５６ｂ２がインナーケース４のストッパー部４４ｂから離間せしめられるが、第６の実施形態のスイッチ操作装置１００では、図２０（Ｂ）に示すように、操作ノブ５ｂの操作部５１ｂが基板１の側（図２０（Ｂ）の右側）に押圧されている時に、操作ノブ５ｂのストッパー部５６ｂ２が、インナーケース４のストッパー部４４ｂから離間せしめられることなく、インナーケース４のストッパー部４４ｂに当接せしめられている。
【０１６９】
詳細には、第６の実施形態のスイッチ操作装置１００では、図１８（Ｂ）に示すように、スイッチ素子２ｂの可動部２ｂ２（図４参照）をスイッチハウジング２ｂ１（図４参照）に格納する側（図１８（Ｂ）の右側）に付勢するための弾性変形部５６ｂ２ｂと係止部５６ｂ２ａとが、操作ノブ５ｂのストッパー部５６ｂ２に設けられている。また、アウターパネル６と基板１との間に配置されたインナーケース４に形成されたストッパー部４４ｂに、操作ノブ５ｂのストッパー部５６ｂ２の係止部５６ｂ２ａが係止されている。
【０１７０】
具体的には、第６の実施形態のスイッチ操作装置１００では、図２０（Ｂ）に示すように、操作ノブ５ｂの操作部５１ｂが基板１の側（図２０（Ｂ）の右側）に押圧されると、操作ノブ５ｂの操作部５１ｂが基板１に近づく向きに（図２０（Ｂ）の反時計回りに）操作ノブ５ｂが回転軸５６ｂ１を中心に回転せしめられ、操作ノブ５ｂによってスイッチ素子２ｂの可動部２ｂ２（図４参照）がスイッチハウジング２ｂ１（図４参照）に格納される側（図２０（Ｂ）の右側）に押動される。それにより、操作ノブ５ｂの弾性変形部５６ｂ２ｂによって可動部２ｂ２（図４参照）をスイッチハウジング２ｂ１（図４参照）に格納する側（図２０（Ｂ）の右側）に付勢する力が減少すると共に、スイッチ素子２ｂによって可動部２ｂ２（図４参照）をスイッチハウジング２ｂ１（図４参照）から突出する側（図２０（Ｂ）の左側）に付勢する力が増加する。
【０１７１】
次いで、第６の実施形態のスイッチ操作装置１００では、操作ノブ５ｂの操作部５１ｂに対する押圧力が解除されると、図１８（Ｂ）に示すように、スイッチ素子２ｂの可動部２ｂ２（図４参照）がスイッチハウジング２ｂ１（図４参照）から突出する側（図１８（Ｂ）の左側）に移動することによって、操作ノブ５ｂの操作部５１ｂが基板１から離れる向きに（図１８（Ｂ）の時計回りに）操作ノブ５ｂが回転軸５６ｂ１を中心に回転せしめられる。それにより、操作ノブ５ｂの弾性変形部５６ｂ２ｂによって可動部２ｂ２（図４参照）をスイッチハウジング２ｂ１（図４参照）に格納する側（図１８（Ｂ）の右側）に付勢する力が増加すると共に、スイッチ素子２ｂによって可動部２ｂ２（図４参照）をスイッチハウジング２ｂ１（図４参照）から突出する側（図１８（Ｂ）の左側）に付勢する力が減少する。その結果、操作ノブ５ｂの操作部５１ｂが基板１から離れる向きの（図１８（Ｂ）の時計回りの）操作ノブ５ｂの回転が減速する。
【０１７２】
つまり、第６の実施形態のスイッチ操作装置１００では、図１８（Ｂ）に示すように、操作ノブ５ｂの操作部５１ｂに対する押圧力の解除に伴う操作ノブ５ｂの回転を減速・停止させるために、操作ノブ５ｂのフランジ部５７ｂがアウターパネル６に最初に当接せしめられるのではなく、操作ノブ５ｂの弾性変形部５６ｂ２ｂによって可動部２ｂ２（図４参照）がスイッチハウジング２ｂ１（図４参照）に格納される側（図１８（Ｂ）の右側）に付勢される。すなわち、第６の実施形態のスイッチ操作装置１００では、操作ノブ５ｂの操作部５１ｂに対する押圧力の解除に伴う操作ノブ５ｂの回転を減速・停止させるために、スイッチ素子２ｂによって可動部２ｂ２（図４参照）をスイッチハウジング２ｂ１（図４参照）から突出する側（図１８（Ｂ）の左側）に付勢する力が、操作ノブ５ｂの弾性変形部５６ｂ２ｂによって可動部２ｂ２（図４参照）をスイッチハウジング２ｂ１（図４参照）に格納する側（図１８（Ｂ）の右側）に付勢する力により相殺される。
【０１７３】
そのため、第６の実施形態のスイッチ操作装置１００によれば、操作ノブ５ｂのフランジ部５７ｂがアウターパネル６に最初に当接せしめられる場合よりも、操作ノブ５ｂの操作部５１ｂに対する押圧力の解除に伴う操作ノブ５ｂの回転停止時に発生する音を低減することができる。
第６の実施形態のスイッチ操作装置１００では、操作ノブ５ｂの弾性変形部５６ｂ２ｂにより可動部２ｂ２（図４参照）をスイッチハウジング２ｂ１（図４参照）に格納する側（図１８（Ｂ）の右側）に付勢する力が増加することによって、操作ノブ５ｂの操作部５１ｂに対する押圧力の解除に伴う操作ノブ５ｂの回転が完全に停止されるが、第６の実施形態のスイッチ操作装置１００の変形例では、代わりに、操作ノブ５ｂの弾性変形部５６ｂ２ｂにより可動部２ｂ２（図４参照）をスイッチハウジング２ｂ１（図４参照）に格納する側（図１８（Ｂ）の右側）に付勢する力が増加することによって操作ノブ５ｂの回転を減速させ、次いで、操作ノブ５ｂをアウターパネル６に低速で当接させる（突き当てる）ことにより、操作ノブ５ｂの回転を完全に停止させ、操作ノブ５ｂをアウターパネル６に対して位置決めすることも可能である。
【０１７４】
仮に、操作ノブ５ｂの弾性変形部５６ｂ２ｂの製造時のばらつき等が原因で、図２０（Ｂ）に示すように操作ノブ５ｂの操作部５１ｂが基板１の側（図２０（Ｂ）の右側）に押圧されている時に、図１２（Ｄ）に示すように操作ノブ５ｂのストッパー部５６ｂ２がインナーケース４のストッパー部４４ｂから離間せしめられる場合には、第６の実施形態のスイッチ操作装置１００の操作ノブ５ｂ（図１８（Ｂ）参照）のストッパー部５６ｂ２（図１８（Ｂ）参照）が、第１の実施形態のスイッチ操作装置１００の操作ノブ５ｂ（図２（Ｂ）参照）のストッパー部５６ｂ２（図２（Ｂ）参照）とほぼ同様に機能する。
【０１７５】
また、第１の実施形態のスイッチ操作装置１００では、図１１（Ｃ）に示すように操作ノブ５ｃの操作部５１ｃが基板１の側（図１１（Ｃ）の右側）に押圧されている時に、図１２（Ｆ）に示すように操作ノブ５ｃのストッパー部５６ｃ２がインナーケース４のストッパー部４４ｃから離間せしめられるが、第６の実施形態のスイッチ操作装置１００では、図２０（Ｃ）に示すように、操作ノブ５ｃの操作部５１ｃが基板１の側（図２０（Ｃ）の右側）に押圧されている時に、操作ノブ５ｃのストッパー部５６ｃ２が、インナーケース４のストッパー部４４ｃから離間せしめられることなく、インナーケース４のストッパー部４４ｃに当接せしめられている。
【０１７６】
詳細には、第６の実施形態のスイッチ操作装置１００では、図１９（Ａ）に示すように、スイッチ素子２ｃの可動部２ｃ２（図４参照）をスイッチハウジング２ｃ１（図４参照）に格納する側（図１９（Ａ）の右側）に付勢するための弾性変形部５６ｃ２ｂと係止部５６ｃ２ａとが、操作ノブ５ｃのストッパー部５６ｃ２に設けられている。また、アウターパネル６と基板１との間に配置されたインナーケース４に形成されたストッパー部４４ｃに、操作ノブ５ｃのストッパー部５６ｃ２の係止部５６ｃ２ａが係止されている。
【０１７７】
具体的には、第６の実施形態のスイッチ操作装置１００では、図２０（Ｃ）に示すように、操作ノブ５ｃの操作部５１ｃが基板１の側（図２０（Ｃ）の右側）に押圧されると、操作ノブ５ｃの操作部５１ｃが基板１に近づく向きに（図２０（Ｃ）の反時計回りに）操作ノブ５ｃが回転軸５６ｃ１を中心に回転せしめられ、操作ノブ５ｃによってスイッチ素子２ｃの可動部２ｃ２（図４参照）がスイッチハウジング２ｃ１（図４参照）に格納される側（図２０（Ｃ）の右側）に押動される。それにより、操作ノブ５ｃの弾性変形部５６ｃ２ｂによって可動部２ｃ２（図４参照）をスイッチハウジング２ｃ１（図４参照）に格納する側（図２０（Ｃ）の右側）に付勢する力が減少すると共に、スイッチ素子２ｃによって可動部２ｃ２（図４参照）をスイッチハウジング２ｃ１（図４参照）から突出する側（図２０（Ｃ）の左側）に付勢する力が増加する。
【０１７８】
次いで、第６の実施形態のスイッチ操作装置１００では、操作ノブ５ｃの操作部５１ｃに対する押圧力が解除されると、図１９（Ａ）に示すように、スイッチ素子２ｃの可動部２ｃ２（図４参照）がスイッチハウジング２ｃ１（図４参照）から突出する側（図１９（Ａ）の左側）に移動することによって、操作ノブ５ｃの操作部５１ｃが基板１から離れる向きに（図１９（Ａ）の時計回りに）操作ノブ５ｃが回転軸５６ｃ１を中心に回転せしめられる。それにより、操作ノブ５ｃの弾性変形部５６ｃ２ｂによって可動部２ｃ２（図４参照）をスイッチハウジング２ｃ１（図４参照）に格納する側（図１９（Ａ）の右側）に付勢する力が増加すると共に、スイッチ素子２ｃによって可動部２ｃ２（図４参照）をスイッチハウジング２ｃ１（図４参照）から突出する側（図１９（Ａ）の左側）に付勢する力が減少する。その結果、操作ノブ５ｃの操作部５１ｃが基板１から離れる向きの（図１９（Ａ）の時計回りの）操作ノブ５ｃの回転が減速する。
【０１７９】
つまり、第６の実施形態のスイッチ操作装置１００では、図１９（Ａ）に示すように、操作ノブ５ｃの操作部５１ｃに対する押圧力の解除に伴う操作ノブ５ｃの回転を減速・停止させるために、操作ノブ５ｃのフランジ部５７ｃがアウターパネル６に最初に当接せしめられるのではなく、操作ノブ５ｃの弾性変形部５６ｃ２ｂによって可動部２ｃ２（図４参照）がスイッチハウジング２ｃ１（図４参照）に格納される側（図１９（Ａ）の右側）に付勢される。すなわち、第６の実施形態のスイッチ操作装置１００では、操作ノブ５ｃの操作部５１ｃに対する押圧力の解除に伴う操作ノブ５ｃの回転を減速・停止させるために、スイッチ素子２ｃによって可動部２ｃ２（図４参照）をスイッチハウジング２ｃ１（図４参照）から突出する側（図１９（Ａ）の左側）に付勢する力が、操作ノブ５ｃの弾性変形部５６ｃ２ｂによって可動部２ｃ２（図４参照）をスイッチハウジング２ｃ１（図４参照）に格納する側（図１９（Ａ）の右側）に付勢する力により相殺される。
【０１８０】
そのため、第６の実施形態のスイッチ操作装置１００によれば、操作ノブ５ｃのフランジ部５７ｃがアウターパネル６に最初に当接せしめられる場合よりも、操作ノブ５ｃの操作部５１ｃに対する押圧力の解除に伴う操作ノブ５ｃの回転停止時に発生する音を低減することができる。
第６の実施形態のスイッチ操作装置１００では、操作ノブ５ｃの弾性変形部５６ｃ２ｂにより可動部２ｃ２（図４参照）をスイッチハウジング２ｃ１（図４参照）に格納する側（図１９（Ａ）の右側）に付勢する力が増加することによって、操作ノブ５ｃの操作部５１ｃに対する押圧力の解除に伴う操作ノブ５ｃの回転が完全に停止されるが、第６の実施形態のスイッチ操作装置１００の変形例では、代わりに、操作ノブ５ｃの弾性変形部５６ｃ２ｂにより可動部２ｃ２（図４参照）をスイッチハウジング２ｃ１（図４参照）に格納する側（図１９（Ａ）の右側）に付勢する力が増加することによって操作ノブ５ｃの回転を減速させ、次いで、操作ノブ５ｃをアウターパネル６に低速で当接させる（突き当てる）ことにより、操作ノブ５ｃの回転を完全に停止させ、操作ノブ５ｃをアウターパネル６に対して位置決めすることも可能である。
【０１８１】
仮に、操作ノブ５ｃの弾性変形部５６ｃ２ｂの製造時のばらつき等が原因で、図２０（Ｃ）に示すように操作ノブ５ｃの操作部５１ｃが基板１の側（図２０（Ｃ）の右側）に押圧されている時に、図１２（Ｆ）に示すように操作ノブ５ｃのストッパー部５６ｃ２がインナーケース４のストッパー部４４ｃから離間せしめられる場合には、第６の実施形態のスイッチ操作装置１００の操作ノブ５ｃ（図１９（Ａ）参照）のストッパー部５６ｃ２（図１９（Ａ）参照）が、第１の実施形態のスイッチ操作装置１００の操作ノブ５ｃ（図３（Ａ）参照）のストッパー部５６ｃ２（図３（Ａ）参照）とほぼ同様に機能する。
【０１８２】
以下、本発明のスイッチ操作装置１００の第７の実施形態について説明する。第７の実施形態のスイッチ操作装置１００は、後述する点を除き、上述した第６の実施形態のスイッチ操作装置１００とほぼ同様に構成されている。従って、第７の実施形態のスイッチ操作装置１００によれば、後述する点を除き、上述した第６の実施形態のスイッチ操作装置１００とほぼ同様の効果を奏することができる。
【０１８３】
図２１および図２２は第７の実施形態のスイッチ操作装置１００の断面図である。詳細には、図２１（Ａ）は図１のＡ−Ａ線に沿った概略的な鉛直断面図、図２１（Ｂ）は図１のＢ−Ｂ線に沿った概略的な鉛直断面図、図２２（Ａ）は図１のＤ−Ｄ線に沿った概略的な鉛直断面図、図２２（Ｂ）は図１のＤ−Ｄ線に沿った概略的な水平断面図である。図２３は第７の実施形態のスイッチ操作装置１００の操作ノブ５ａ，５ｂ，５ｃの操作部５１ａ，５１ｂ，５１ｃが基板１の側に押圧された状態を示した図である。詳細には、図２３（Ａ）は操作ノブ５ａの操作部５１ａが基板１の側に押圧された状態における図１のＡ−Ａ線に沿った概略的な鉛直断面図、図２３（Ｂ）は操作ノブ５ｂの操作部５１ｂが基板１の側に押圧された状態における図１のＢ−Ｂ線に沿った概略的な鉛直断面図、図２３（Ｃ）は操作ノブ５ｃの操作部５１ｃが基板１の側に押圧された状態における図１のＣ−Ｃ線に沿った概略的な鉛直断面図である。
【０１８４】
第６の実施形態のスイッチ操作装置１００では、図１８（Ａ）および図２０（Ａ）に示すように、操作ノブ５ａのストッパー部５６ａ２の係止部５６ａ２ａがインナーケース４のストッパー部４４ａの上面（図１８（Ａ）および図２０（Ａ）の上側の面）に当接せしめられるが、第７の実施形態のスイッチ操作装置１００では、代わりに、図２１（Ａ）および図２３（Ａ）に示すように、操作ノブ５ａのストッパー部５６ａ２の係止部５６ａ２ａがインナーケース４のストッパー部４４ａの前面（図２１（Ａ）および図２３（Ａ）の左側の面）に当接せしめられる。
【０１８５】
また、第６の実施形態のスイッチ操作装置１００では、図１８（Ｂ）および図２０（Ｂ）に示すように、操作ノブ５ｂのストッパー部５６ｂ２の係止部５６ｂ２ａがインナーケース４のストッパー部４４ｂの上面（図１８（Ｂ）および図２０（Ｂ）の上側の面）に当接せしめられるが、第７の実施形態のスイッチ操作装置１００では、代わりに、図２１（Ｂ）および図２３（Ｂ）に示すように、操作ノブ５ｂのストッパー部５６ｂ２の係止部５６ｂ２ａがインナーケース４のストッパー部４４ｂの前面（図２１（Ｂ）および図２３（Ｂ）の左側の面）に当接せしめられる。
【０１８６】
同様に、第６の実施形態のスイッチ操作装置１００では、図１９（Ａ）および図２０（Ｃ）に示すように、操作ノブ５ｃのストッパー部５６ｃ２の係止部５６ｃ２ａがインナーケース４のストッパー部４４ｃの上面（図１９（Ａ）および図２０（Ｃ）の上側の面）に当接せしめられるが、第７の実施形態のスイッチ操作装置１００では、代わりに、図２２（Ａ）および図２３（Ｃ）に示すように、操作ノブ５ｃのストッパー部５６ｃ２の係止部５６ｃ２ａがインナーケース４のストッパー部４４ｃの前面（図２２（Ａ）および図２３（Ｃ）の左側の面）に当接せしめられる。
【０１８７】
以下、本発明のスイッチ操作装置１００の第８の実施形態について説明する。第８の実施形態のスイッチ操作装置１００は、後述する点を除き、上述した第１の実施形態のスイッチ操作装置１００とほぼ同様に構成されている。従って、第８の実施形態のスイッチ操作装置１００によれば、後述する点を除き、上述した第１の実施形態のスイッチ操作装置１００とほぼ同様の効果を奏することができる。
【０１８８】
図２４は第８の実施形態のスイッチ操作装置１００の断面図である。詳細には、図２４は図１のＤ−Ｄ線に沿った概略的な水平断面図である。図２５は第８の実施形態のスイッチ操作装置１００の一部を構成する操作ノブ５ａの部品図である。詳細には、図２５（Ａ）は操作ノブ５ａの平面図、図２５（Ｂ）は操作ノブ５ａの正面図、図２５（Ｃ）は操作ノブ５ａの右側面図、図２５（Ｄ）は操作ノブ５ａの底面図、図２５（Ｅ）は図２５（Ｂ）のｅ−ｅ線に沿った概略的な水平断面図、図２５（Ｆ）は操作ノブ５ａの後側面図、図２５（Ｇ）は図２５（Ｆ）のｆ−ｆ線に沿った概略的な鉛直断面図である。図２６は第８の実施形態のスイッチ操作装置１００の一部を構成する操作ノブ５ｂの部品図である。詳細には、図２６（Ａ）は操作ノブ５ｂの平面図、図２６（Ｂ）は操作ノブ５ｂの正面図、図２６（Ｃ）は操作ノブ５ｂの右側面図、図２６（Ｄ）は操作ノブ５ｂの底面図、図２６（Ｅ）は図２６（Ｂ）のｇ−ｇ線に沿った概略的な水平断面図、図２６（Ｆ）は操作ノブ５ｂの後側面図、図２６（Ｇ）は図２６（Ｆ）のｈ−ｈ線に沿った概略的な鉛直断面図である。図２７は第８の実施形態のスイッチ操作装置１００の一部を構成する操作ノブ５ｃの部品図である。詳細には、図２７（Ａ）は操作ノブ５ｃの平面図、図２７（Ｂ）は操作ノブ５ｃの正面図、図２７（Ｃ）は操作ノブ５ｃの右側面図、図２７（Ｄ）は操作ノブ５ｃの底面図、図２７（Ｅ）は図２７（Ｂ）のｉ−ｉ線に沿った概略的な水平断面図、図２７（Ｆ）は操作ノブ５ｂの後側面図、図２７（Ｇ）は図２７（Ｆ）のｊ−ｊ線に沿った概略的な鉛直断面図である。
【０１８９】
第１の実施形態のスイッチ操作装置１００では、図７に示すように、操作ノブ５ａのフランジ部５８ａにオーバーハング部が形成されていないが、第８の実施形態のスイッチ操作装置１００では、図２５に示すように、操作ノブ５ａのフランジ部５８ａにオーバーハング部５８ａ２が形成されている。
【０１９０】
詳細には、第８の実施形態のスイッチ操作装置１００では、図２４および図２５（Ｅ）に示すように、操作ノブ５ａの操作部５１ａの側（図２４の下側、図２５（Ｅ）の上側）に延びているオーバーハング部５８ａ２が、操作ノブ５ａのフランジ部５８ａに形成されている。また、図２４に示すように、操作ノブ５ａのフランジ部５８ａの外側表面５８ａ１（図２５（Ｅ）参照）が、操作ノブ５ｂの壁部５５ｂの内側表面５５ｂ２（図２６（Ｅ）参照）よりもアウターパネル６の壁部６１３の側（図２４の右側）に配置されている。更に、操作ノブ５ａのフランジ部５８ａのオーバーハング部５８ａ２の先端面５８ａ２ａが、操作ノブ５ｂの壁部５５ｂの基板側表面５５ｂ３（図２６（Ｅ）参照）よりも操作ノブ５ｂの操作部５１ｂの側（図２４の下側）に配置されている。
【０１９１】
つまり、第８の実施形態のスイッチ操作装置１００では、図２４に示すように、操作ノブ５ａの壁部５４ａとオーバーハング部５８ａ２とによって、操作ノブ５ｂの壁部５５ｂが挟まれている。そのため、第８の実施形態のスイッチ操作装置１００によれば、操作ノブ５ａの操作部５１ａの側（図２４の下側）に延びているオーバーハング部５８ａ２が操作ノブ５ａのフランジ部５８ａに形成されておらず、操作ノブ５ａのフランジ部５８ａの外側表面５８ａ１が操作ノブ５ｂの壁部５５ｂの内側表面５５ｂ２よりもアウターパネル６の壁部６１３の側（図２４の右側）に配置されておらず、操作ノブ５ａのフランジ部５８ａのオーバーハング部５８ａ２の先端面５８ａ２ａが操作ノブ５ｂの壁部５５ｂの基板側表面５５ｂ３よりも操作ノブ５ｂの操作部５１ｂの側（図２４の下側）に配置されていない場合よりも、光源３ａ，３ｂ，３ｃからの光の一部が操作ノブ５ａのフランジ部５８ａの外側表面５８ａ１と操作ノブ５ｂの壁部５５ｂの外側表面５５ｂ１（図２６（Ｅ）参照）との隙間を介して漏れ出てしまうおそれを低減することができる。
【０１９２】
換言すれば、第８の実施形態のスイッチ操作装置１００によれば、操作ノブ５ａの壁部５４ａとオーバーハング部５８ａ２とによって操作ノブ５ｂの壁部５５ｂが挟まれていない場合よりも、光源３ａ，３ｂ，３ｃからの光の一部が操作ノブ５ａのフランジ部５８ａの外側表面５８ａ１と操作ノブ５ｂの壁部５５ｂの外側表面５５ｂ１（図２６（Ｅ）参照）との隙間を介して漏れ出てしまうおそれを低減することができる。
【０１９３】
また、第１の実施形態のスイッチ操作装置１００では、図８に示すように、操作ノブ５ｂのフランジ部５８ｂにオーバーハング部が形成されていないが、第８の実施形態のスイッチ操作装置１００では、図２６に示すように、操作ノブ５ｂのフランジ部５８ｂにオーバーハング部５８ｂ２が形成されている。
【０１９４】
詳細には、第８の実施形態のスイッチ操作装置１００では、図２４および図２６（Ｅ）に示すように、操作ノブ５ｂの操作部５１ｂの側（図２４の下側、図２６（Ｅ）の上側）に延びているオーバーハング部５８ｂ２が、操作ノブ５ｂのフランジ部５８ｂに形成されている。また、図２４に示すように、操作ノブ５ｂのフランジ部５８ｂの外側表面５８ｂ１（図２６（Ｅ）参照）が、操作ノブ５ｃの壁部５５ｃの内側表面５５ｃ２（図２７（Ｅ）参照）よりもアウターパネル６の壁部６１３の側（図２４の右側）に配置されている。更に、操作ノブ５ｂのフランジ部５８ｂのオーバーハング部５８ｂ２の先端面５８ｂ２ａが、操作ノブ５ｃの壁部５５ｃの基板側表面５５ｃ３（図２７（Ｅ）参照）よりも操作ノブ５ｃの操作部５１ｃの側（図２４の下側）に配置されている。
【０１９５】
つまり、第８の実施形態のスイッチ操作装置１００では、図２４に示すように、操作ノブ５ｂの壁部５４ｂとオーバーハング部５８ｂ２とによって、操作ノブ５ｃの壁部５５ｃが挟まれている。そのため、第８の実施形態のスイッチ操作装置１００によれば、操作ノブ５ｂの操作部５１ｂの側（図２４の下側）に延びているオーバーハング部５８ｂ２が操作ノブ５ｂのフランジ部５８ｂに形成されておらず、操作ノブ５ｂのフランジ部５８ｂの外側表面５８ｂ１が操作ノブ５ｃの壁部５５ｃの内側表面５５ｃ２よりもアウターパネル６の壁部６１３の側（図２４の右側）に配置されておらず、操作ノブ５ｂのフランジ部５８ｂのオーバーハング部５８ｂ２の先端面５８ｂ２ａが操作ノブ５ｃの壁部５５ｃの基板側表面５５ｃ３よりも操作ノブ５ｃの操作部５１ｃの側（図２４の下側）に配置されていない場合よりも、光源３ａ，３ｂ，３ｃからの光の一部が操作ノブ５ｂのフランジ部５８ｂの外側表面５８ｂ１と操作ノブ５ｃの壁部５５ｃの外側表面５５ｃ１（図２７（Ｅ）参照）との隙間を介して漏れ出てしまうおそれを低減することができる。
【０１９６】
換言すれば、第８の実施形態のスイッチ操作装置１００によれば、操作ノブ５ｂの壁部５４ｂとオーバーハング部５８ｂ２とによって操作ノブ５ｃの壁部５５ｃが挟まれていない場合よりも、光源３ａ，３ｂ，３ｃからの光の一部が操作ノブ５ｂのフランジ部５８ｂの外側表面５８ｂ１と操作ノブ５ｃの壁部５５ｃの外側表面５５ｃ１（図２７（Ｅ）参照）との隙間を介して漏れ出てしまうおそれを低減することができる。
【０１９７】
第９の実施形態では、上述した第１から第８の実施形態およびそれらの変形例を適宜組み合わせることも可能である。
【産業上の利用可能性】
【０１９８】
本発明のスイッチ操作装置は、例えばカーエアコン、カーオーディオ、カーナビゲーションなどの車載機器用のスイッチ操作装置、例えばコピー機、ＦＡＸ機などの民生機器用のスイッチ操作装置などのような任意のスイッチ操作装置に適用可能である。
【符号の説明】
【０１９９】
１                                      基板
２ａ，２ｂ                              スイッチ素子
２ａ１，２ｂ１                          スイッチハウジング
２ａ２，２ｂ２                          可動部
３ａ，３ｂ                              光源
４                                      インナーケース
４４ａ，４４ｂ                          ストッパー部
５ａ，５ｂ                              操作ノブ
５１ａ，５１ｂ                          操作部
５２ａ，５３ａ，５４ａ，５５ａ          壁部
５２ｂ，５３ｂ，５４ｂ，５５ｂ          壁部
５５ｂ１                                外側表面
５６ａ，５７ａ，５８ａ，５９ａ          フランジ部
５６ｂ，５７ｂ，５８ｂ                  フランジ部
５６ａ１，５６ｂ１                      回転軸
５６ａ２                                ストッパー部
５６ａ４，５６ｂ４                      外側表面
５７ａ１，５７ｂ１                      外側表面
５８ａ１                                外側表面
５９ａ１                                外側表面
６                                      アウターパネル
６１                                    開口
６１１，６１２，６１３，６１４          壁部
６１１ｂ，６１２ａ，６１３ｄ，６１４ｃ  内側表面
１００                                  スイッチ操作装置
【図１】
2011187413.tif 000003
【図２】
2011187413.tif 000004
【図３】
2011187413.tif 000005
【図４】
2011187413.tif 000006
【図５】
2011187413.tif 000007
【図６】
2011187413.tif 000008
【図７】
2011187413.tif 000009
【図８】
2011187413.tif 000010
【図９】
2011187413.tif 000011
【図１０】
2011187413.tif 000012
【図１１】
2011187413.tif 000013
【図１２】
2011187413.tif 000014
【図１３】
2011187413.tif 000015
【図１４】
2011187413.tif 000016
【図１５】
2011187413.tif 000017
【図１６】
2011187413.tif 000018
【図１７】
2011187413.tif 000019
【図１８】
2011187413.tif 000020
【図１９】
2011187413.tif 000021
【図２０】
2011187413.tif 000022
【図２１】
2011187413.tif 000023
【図２２】
2011187413.tif 000024
【図２３】
2011187413.tif 000025
【図２４】
2011187413.tif 000026
【図２５】
2011187413.tif 000027
【図２６】
2011187413.tif 000028
【図２７】
2011187413.tif 000029